(57)【要約】  閉鎖機構によって封止される開口部付きの外側シェルを含む前面ポケットを有する、バックパック。閉鎖機構は、開口部を部分的に又は全体的に封止するように構成された磁気ストリップを含み、且つ、コンテナの内部表面への磁気ストリップのヒンジ式結合部を有し得る。
2021509616.tif 000002
【特許請求の範囲】
【請求項１】
バッグであって、
前面パネル、背面パネル、上面側壁、底面側壁、左側壁、及び右側壁を含む、耐水材料から形成された外側シェルと、
前記外側シェルに結合された１対の調節可能ストラップと、
前記左側壁、上面側壁、及び右側壁の一部分の周りに延在する第１のクロージャであって、第１の内部ポケットを再封可能に封止するために開位置から閉位置へ移動するように構成された、第１のクロージャと、
前記前面パネルの一部分の周りに延在する第２のクロージャであって、前面コンテナを再封可能に封止するために開位置から閉位置へ移動するように構成された、第２のクロージャと、
を備え、前記前面コンテナが、
第２の内部ポケットに及ぶ開口部、及び、
閉鎖機構
をさらに備え、前記閉鎖機構が、
第１の磁気ストリップ上面側及び第１の磁気ストリップ底面側を有する第１の磁気ストリップであって、前記第１の磁気ストリップ上面側が、前記開口部の前面縁部において前記外側シェルの第１の内部表面に結合され、前記第１の磁気ストリップ底面側が、前記外側シェルに取り付けられていない、第１の磁気ストリップと、
第２の磁気ストリップ上面側及び第２の磁気ストリップ底面側を有する第２の磁気ストリップであって、前記第２の磁気ストリップ上面側が、前記開口部の背面縁部において第２の内部表面に結合され、前記第２の磁気ストリップ底面側が、前記外側シェルに取り付けられていない、第２の磁気ストリップと、
をさらに備え、
前記第１の磁気ストリップが、前記開口部を再封可能に封止するために前記第２の磁気ストリップに磁気的に引き付けられる、
バッグ。
【請求項２】
バックパックである、請求項１に記載のバッグ。
【請求項３】
前記第２のクロージャから延在するフラップ部分であって、第１のファスナ要素を有する、フラップ部分と、
前記外側シェルの前記前面パネルに結合された第２のファスナ要素と、
をさらに備え、
前記外側シェルが、前記第１のファスナ要素を前記第２のファスナ要素に取外し可能に結合するために折り畳まれるように構成される、
請求項１に記載のバッグ。
【請求項４】
前記第１の磁気ストリップ及び前記第２の磁気ストリップが、前記開口部のそれぞれの前記前面縁部及び背面縁部においてヒンジ式に結合される、請求項１に記載のバッグ。
【請求項５】
前記第１の磁気ストリップ及び前記第２の磁気ストリップのうちの少なくとも一方が、前記開口部のそれぞれの前記前面縁部及び背面縁部においてヒンジ式に結合される、請求項１に記載のバッグ。
【請求項６】
前記第１のファスナ要素が、面ファスナにより前記第２のファスナ要素に取外し可能に結合されるように構成される、請求項３に記載のバッグ。
【請求項７】
前記第１のファスナ要素及び前記第２のファスナ要素が、磁石を含む、請求項３に記載のバッグ。
【請求項８】
バッグであって、
前面パネル、背面パネル、上面側壁、底面側壁、左側壁、及び右側壁を含む、耐水材料から形成された外側シェルと、
前記外側シェルに結合された１対の調節可能ストラップと、
前記左側壁、上面側壁、及び右側壁の一部分の周りに延在する第１のクロージャであって、 第１の内部ポケットを再封可能に封止するために開位置から閉位置へ移動するように構成された、第１のクロージャと、
前記前面パネルの一部分の周りに延在する第２のクロージャであって、前面コンテナを再封可能に封止するために開位置から閉位置へ移動するように構成された、第２のクロージャと、
を備え、前記前面コンテナが、
前面シェル、
前記前面シェルの内部周囲の周りに延在する前面フレーム、
背面シェル、
前記背面シェルの内部周囲の周りに延在し、且つ、底部表面において前記前面フレームにヒンジ式に結合された、背面フレーム、及び、
前記背面シェルを前記前面シェルに対して再封可能に封止するように構成された閉鎖機構
をさらに備え、前記閉鎖機構が、
少なくとも前記前面フレームの第１の部分の周りに延在する前面磁気ストリップ、
少なくとも前記背面フレームの第１の部分の周りに延在する背面磁気ストリップであって、前記前面磁気ストリップに磁気的に結合するように構成された、背面磁気ストリップ、及び、
少なくとも前記前面フレームの第２の部分及び前記背面フレームの第２の部分の周りに延在するジッパ
をさらに備える、バッグ。
【請求項９】
前記前面フレーム及び前記背面フレームが、エラストマを含む、請求項８に記載のバッグ。
【請求項１０】
前記前面磁気ストリップ及び背面磁気ストリップが、それぞれの前記前面フレーム及び背面フレーム内のチャネル内に封入される、請求項８に記載のバッグ。
【請求項１１】
前記閉鎖機構が、前記前面磁気ストリップが前記背面磁気ストリップに磁気的に結合されたときに形成されるジッパ・トラフをさらに含む、請求項８に記載のバッグ。
【請求項１２】
前記ジッパが、少なくとも前記前面フレームの前記第２の部分及び前記背面フレームの前記第２の部分に伸縮自在に結合されたジッパ・テープをさらに含む、請求項８に記載のバッグ。
【請求項１３】
前記ジッパが閉じられているときに、少なくとも前記前面フレームの前記第２の部分及び前記背面フレームの前記第２の部分への前記ジッパ・テープの前記伸縮自在な結合が、前記前面磁気ストリップ及び前記背面磁気ストリップを互いの方向に付勢する圧縮力を働かせる、請求項１２に記載のバッグ。
【請求項１４】
前記前面磁気ストリップ及び前記背面磁気ストリップが、それぞれ複数の磁気要素を含む、請求項８に記載のバッグ。
【請求項１５】
前面パネル、背面パネル、上面側壁、底面側壁、左側壁、及び右側壁を含む、耐水材料から形成された外側シェルと、
前記外側シェルに結合された１対の調節可能ストラップと、
前記左側壁、上面側壁、及び右側壁の一部分の周りに延在するクロージャであって、内部ポケットを再封可能に封止するように構成された、クロージャと、
前記クロージャの下方で前記左側壁に結合された第１のオポーザ要素、及び、前記クロージャの下方で前記右側壁に結合された第２のオポーザ要素と、
前記前面パネルに結合された一連のループと、
を備える、バッグ。
【請求項１６】
バックパックである、請求項１５に記載のバッグ。
【請求項１７】
前記クロージャが、ジッパ・クロージャを含む、請求項１５に記載のバッグ。
【請求項１８】
前記クロージャが、磁気クロージャを含む、請求項１５に記載のバッグ。
【請求項１９】
前記クロージャが、折り畳み閉鎖機構を含む、請求項１５に記載のバッグ。
【請求項２０】
前記上面側壁上の第１の持ち運びハンドル、前記左側壁上の第２の持ち運びハンドル、及び前記右側壁上の第３の持ち運びハンドルをさらに備える、請求項１５に記載のバッグ。
【発明の詳細な説明】
【技術分野】
【０００１】
本出願は、あらゆる非限定的な目的のために参照により本明細書に完全に組み込まれている、２０１８年１月５日に出願し「ＢＡＣＫＰＡＣＫ」と題した米国仮出願第６２／６１３，７９５号の優先権を主張するものである。
【０００２】
本開示は一般に、密閉収納コンパートメント内に私物を収納するのに役立つ、非剛体、半剛体、及び剛体のポータブル・コンテナ・デバイスに関する。
【背景技術】
【０００３】
コンテナは、偶発的な衝撃（例えば、落下）並びに液体及びよごれからのある程度の保護を提供するために、ユーザの私物を収納するように設計され得る。コンテナは、金属若しくはプラスチックなどの剛体材料、又はファブリック若しくは発泡体などの可撓性材料から構成され得る。コンテナは、コンテナの内部コンテンツへのアクセスを可能にする開口部／開口を有して設計され得る。開口部はまた、閉鎖機構を備え得る。
【先行技術文献】
【特許文献】
【０００４】
【特許文献１】米国特許出願第１５／２６１４０７号
【発明の概要】
【０００５】
この発明の概要は、発明を実施するための形態において以下でさらに説明される簡易化した形態における本発明に関連する幾つかの一般概念への導入を提供する。この発明の概要は、本発明の重要な特徴又は本質的な特徴を特定することを意図するものではない。
【０００６】
本明細書における開示の態様は、（１）部分的防水又は完全防水のクロージャ（２）磁気クロージャのうちの１つ又は複数を有するコンテナ・デバイスに関し得る。
【０００７】
上述の発明の概要、及び以下の発明を実施するための形態は、添付の図面と併せて考察すれば、より良く理解されるであろう。添付の図面では、同様の参照番号は、その参照番号が現れる様々な図の全てにおいて、同様の又は類似の要素を意味する。
【図面の簡単な説明】
【０００８】
【図１】本明細書において説明される１つ又は複数の態様による、コンテナの一実施態様を概略的に示す図である。
【図２】本明細書において説明される１つ又は複数の態様による、コンテナの一実施態様を概略的に示す図である。
【図３Ａ】本明細書において説明されるより多くの態様による、コンテナの別の実施態様を概略的に示す図である。
【図３Ｂ】本明細書において説明されるより多くの態様による、コンテナの別の実施態様を概略的に示す図である。
【図４】本明細書において説明される１つ又は複数の態様による、コンテナの１つの実施態様を概略的に示す図である。
【図５】本明細書において説明される１つ又は複数の態様による、図４からのコンテナの別の図を概略的に示す図である。
【図６】本明細書において説明される１つ又は複数の態様による、図４からのコンテナの上面部分の断面図を概略的に示す図である。
【図７】本明細書において説明される１つ又は複数の態様による、コンテナの１つの実施態様を示す図である。
【図８Ａ】本明細書において説明される１つ又は複数の態様による、コンテナの一実施態様を概略的に示す図である。
【図８Ｂ】本明細書において説明される１つ又は複数の態様による、コンテナの一実施態様を概略的に示す図である。
【図９Ａ】本明細書において説明される１つ又は複数の態様による、開いた構成における図８Ａ〜８Ｂからのコンテナを概略的に示す図である。
【図９Ｂ】本明細書において説明される１つ又は複数の態様による、開いた構成における図８Ａ〜８Ｂからのコンテナを概略的に示す図である。
【図９Ｃ】本明細書において説明される１つ又は複数の態様による、開いた構成における図８Ａ〜８Ｂからのコンテナを概略的に示す図である。
【図１０】本明細書において説明される１つ又は複数の態様による、図８Ａ〜８Ｂからのコンテナの背面部分の図を概略的に示す図である。
【図１１】本明細書において説明される１つ又は複数の態様による、図８Ａ〜８Ｂからのコンテナの内部背面パネルの一部分を概略的に示す図である。
【図１２】本明細書において説明される１つ又は複数の態様による、図８Ａ〜８Ｂからのコンテナの内部前面パネルの一部分を概略的に示す図である。
【図１３Ａ】本明細書において説明される１つ又は複数の態様による、図８Ａ〜８Ｂからのコンテナの１つの実施態様の端面断面図を概略的に示す図である。
【図１３Ｂ】本明細書において説明される１つ又は複数の態様による、図８Ａ〜８Ｂからのコンテナの開口部のより詳細な図を概略的に示す図である。
【図１３Ｃ】本明細書において説明される１つ又は複数の態様による、図８Ａ〜８Ｂからのコンテナの開口部の代替的な一実施態様を概略的に示す図である。
【図１３Ｄ】本明細書において説明される１つ又は複数の態様による、図８Ａ〜８Ｂからのコンテナの開口部の代替的な一実施態様を概略的に示す図である。
【図１４】本明細書において説明される１つ又は複数の態様による、コンテナの１つの実施態様を示す図である。
【図１５】本明細書において説明される１つ又は複数の態様による、図１４からのコンテナの別の見た目を示す図である。
【図１６】本明細書において説明される１つ又は複数の態様による、図１４からのコンテナの別の見た目を示す図である。
【図１７Ａ】本明細書において説明される１つ又は複数の態様による、コンテナの別の実施態様の等角図を概略的に示す図である。
【図１７Ｂ】本明細書において説明される１つ又は複数の態様による、コンテナの別の実施態様の等角図を概略的に示す図である。
【図１８Ａ】本明細書において説明される１つ又は複数の態様による、閉鎖機構の等角図を概略的に示す図である。
【図１８Ｂ】本明細書において説明される１つ又は複数の態様による、閉鎖機構の等角図を概略的に示す図である。
【図１９】本明細書において説明される１つ又は複数の態様による、閉鎖機構の別の実施態様の断面図を概略的に示す図である。
【図２０】本明細書において説明される１つ又は複数の態様による、様々な内容物を収納するように構成され得るバッグを全体的に示す図である。
【図２１】本明細書において説明される１つ又は複数の態様による、様々な内容物を収納するように構成され得るバッグを全体的に示す図である。
【図２２】本明細書において説明される１つ又は複数の態様による、様々な内容物を収納するように構成され得るバッグを全体的に示す図である。
【図２３】本明細書において説明される１つ又は複数の態様による、様々な内容物を収納するように構成され得るバッグを全体的に示す図である。
【図２４】本明細書において説明される１つ又は複数の態様による、様々な内容物を収納するように構成され得るバッグを全体的に示す図である。
【図２５Ａ】本明細書において説明される１つ又は複数の態様による、バッグの別の実施態様を示す図である。
【図２５Ｂ】本明細書において説明される１つ又は複数の態様による、バッグの別の実施態様を示す図である。
【図２５Ｃ】本明細書において説明される１つ又は複数の態様による、バッグの別の実施態様を示す図である。
【図２６Ａ】本明細書において説明される１つ又は複数の態様による、バッグの別の実施態様を示す図である。
【図２６Ｂ】本明細書において説明される１つ又は複数の態様による、バッグの別の実施態様を示す図である。
【図２７Ａ】本明細書において説明される１つ又は複数の態様による、図２６Ａ及び２６Ｂのバッグの等角図である。
【図２７Ｂ】本明細書において説明される１つ又は複数の態様による、図２６Ａ及び２６Ｂのバッグの等角図である。
【図２８Ａ】本明細書において説明される１つ又は複数の態様による、胸骨ストラップ・バックルを示す図である。
【図２８Ｂ】本明細書において説明される１つ又は複数の態様による、胸骨ストラップ・バックルを示す図である。
【図２９】本明細書において説明される１つ又は複数の態様による、ハンドル構造の組立分解等角図を概略的に示す図である。
【図３０】本明細書において説明される１つ又は複数の態様による、バッグの別の実施態様の等角図である。
【図３１】本明細書において説明される１つ又は複数の態様による、開いた収納コンパートメントを含むバッグの見た目を示す図である。
【発明を実施するための形態】
【０００９】
さらに、図面は種々の実例の様々な構成要素の尺度を表わし得ることが、理解されるべきである。しかし、開示される実例は、その具体的な尺度に限定されるものではない。さらに、図面は、特に指定のない限り、特定の尺度が必要であると解釈されるべきではない。
【００１０】
本開示の様々な実例及び構成要素に関する以下の説明では、本開示の一部を形成する添付の図面が参照され、添付の図面には、本開示の態様が実践され得る様々な例示的な構造及び環境が、例示として示されている。他の構造及び環境が利用され得ること、並びに、本開示の範囲から逸脱することなしに、明確に記載された構造及び方法から構造上及び機能上の変更がなされ得ることが、理解されるべきである。
【００１１】
また、様々な例示的な特徴及び要素を説明するために、本明細書では「表側」、「裏側」、「前面」、「背面」、「上部」、「基部」、「底部」、「側面」、「前方」、及び「後方」などの用語が使用され得るが、これらの用語は、本明細書では、例えば図に示された例示的な配向及び／又は典型的な使用における配向に基づいて、便宜上使用されるものである。本明細書のいかなる内容も、特許請求の範囲に記載の範囲に収まるために構造の特異的な３次元的配向又は空間的配向を必要とすると解釈されることはない。
【００１２】
以下の説明では、１つ又は複数のコンテナ構造が参照される。開示される構造のいずれもが、これらの開示の範囲から逸脱することなしに、任意のポリマー、複合材、及び／又は金属／合金材料から作製され得ることが、意図されている。さらに、これらの開示の範囲から逸脱することなしに任意の製造方法が利用され得ることが、意図されている。これらの開示にわたって説明される様々なコンテナの作製のために、例えば、１種又は複数種の溶接法（例えば、ファブリックの超音波溶接若しくはレーザ溶接、又は金属／合金溶接）、接着法、縫い合わせ法、成形法、射出成形法、ブロー成形法、打抜き加工法、深絞り加工法、鋳造法、ダイカスティング法、穴あけ法、ばり取り法、研削法、研磨法、サンディング法、又はエッチング法が、数多くある中でも利用され得る。さらに、これらの開示にわたって磁気的な要素又は構造が参照される場合、１つ又は複数の磁石（例えば、永久磁石）或いは磁石に引き付けられる１種若しくは複数種の金属又は合金（例えば、とりわけ、強磁性材料）をその要素又は構造が含むことが、推測され得る。
【００１３】
本明細書にわたって論じられるコンテナのいずれもが、塵又は他の物質がコンテナの中に入ること及び／又はコンテナから抜け出すことを実質的に又は完全に防ぐために、部分的に又は完全に水密とされ、気密とされ、且つ／又は封止され得る。例えば、続く段落でさらに詳細に説明されるコンテナ１００、２００、３００、４００、７００、８００、及び／又は１４００は、部分的に又は完全に耐水の外側シェル／外壁、及び閉鎖機構を含み得る。
【００１４】
図１は、本明細書において説明される１つ又は複数の態様によるコンテナ１００の実施態様を概略的に示す。コンテナ１００などのコンテナは、これらの開示にわたって、とりわけポーチ、バッグ、箱、又は器と代わりに呼ばれ得ることが、意図されている。１つの実例では、コンテナ１００は、変形に対して耐性がある硬いシェルを有し得る。１つの実施態様では、コンテナ１００は、背面シェル１０４にヒンジ式に（ｈｉｎｇｅｄｌｙ）結合される前面シェル１０２を含む、クラムシェル機構を有する。これらの開示にわたって論じられる場合、ヒンジ結合は、数多くある中でも、屈曲要素（例えば、ライブ・ヒンジ（ｌｉｖｅ  ｈｉｎｇｅ））又はピアノ・ヒンジのうちの１つ又は複数を利用し得る。シェル１０２及び１０４は、とりわけ、任意のポリマー、複合材、及び／又は金属／合金材料から作製され得ることが、意図されている。１つの実施態様では、前面シェル１０２は、部分的に又は全体的に透明とされ得る。１つの実例では、前面シェル１０２及び／又は背面シェル１０４は、ポリカーボネート材料から作製され得る。しかし、これらの開示の範囲から逸脱することなしに、追加の又は代替的なポリマー材料が利用され得る。
【００１５】
コンテナ１００は、背面シェル１０４の内周の少なくとも一部分の周りに延在するパッキン１０６を有し得る。パッキン１０６は、背面シェル１０４のチャネル１０７内に位置決めされ得る。パッキン１０６は、とりわけ、シリコーン、ネオプレン、ニトリル、ポリ塩化ビニル、又はブチル・ゴムから作製され得る。１つの実例では、パッキン１０６は、コンテナ１００内の内部収納コンパートメント内への開口部１０８を部分的に又は全体的に封止するように構成され得る。
【００１６】
１つの実施態様では、コンテナ１００は、これらの開示にわたってファスナ機構と呼ばれることもある、留め具１１０を有する閉鎖機構を含み得ることが意図されており、この留め具１１０は、前面シェル１０２にヒンジ式に結合され、且つ、背面シェル１０４の上部部分１１２に取外し可能に結合するように構成される。幾つかの実例では、留め具１１０は、パッキン１０６とともに、前面シェル１０２と背面シェル１０４との間に防水の又は耐水のシールを作り出すことができる。さらに、コンテナ１００は、コンテナ１００内に乾燥コンパートメントを形成するために、防水の又は耐水のファブリックで形成され得る。しかし、これらの開示の範囲から逸脱することなしに、追加の又は代替的な閉鎖機構が利用され得る。例えば、コンテナ１００は、これらの開示の範囲から逸脱することなしに、留め具１１０に似た２つ以上の留め具、１つ又は複数のジッパ、レール型閉鎖機構、面ファスナ、タブ、干渉嵌まり閉鎖機構、若しくは磁気閉鎖機構を利用し得る。
【００１７】
図２は、本明細書において説明される１つ又は複数の態様によるコンテナ２００の実施態様を概略的に示す。コンテナ２００は、変形に対して少なくとも部分的に耐性がある、頑丈なシェルを有し得る。１つの具体的な実例では、コンテナ２００は、クラムシェル設計を利用し、且つ、背面シェル２０４にヒンジ式に結合される前面シェル２０２を有する。背面シェル２０４は、背面シェル２０４の内周の少なくとも一部分の周りに延在するチャネル２０７内に位置決めされるパッキン２０６を有し得る。示されるように、開口部が、コンテナ２００の内部収納コンパートメント２０８へのアクセスを提供する。この内部収納コンパートメント２０８は、前面シェル２０２がパッキン２０６に沿って背面シェル２０４と係合されたときに、部分的に又は全体的に封止される（例えば、とりわけ空気及び／又は水に対して部分的に又は全体的に封止される）。１つの実例では、パッキン２０６は、図１に関連して説明されたパッキン１０６に類似し得る。コンテナ２００は、ファブリック被覆を有する成形エチレン酢酸ビニルから作製され得ることが、さらに意図されている。
【００１８】
示された実例では、コンテナ２００は、前面シェル２０２の上部表面２１２にヒンジ式に結合される留め具２１０を有する閉鎖機構を含み得る。したがって、留め具２１０は、背面シェル２０４の上部表面２１４上のタブ構造（図示せず）と係合するように構成され得る。上記の実例におけるように、留め具１１０は、パッキン２０６とともに、前面シェル２０２と背面シェル２０４との間に防水又は耐水のシールを作り出すことができることも、意図されている。さらに、コンテナ２００は、コンテナ２００内に乾燥コンパートメントを形成するために、防水又は耐水のファブリックで形成され得る。しかし、とりわけ磁気閉鎖機構又は面ファスナなどの、追加の又は代替的な閉鎖機構が利用されてもよい。
【００１９】
図３Ａ及び３Ｂは、本明細書において説明されるより多くの態様によるコンテナ３００の別の実施態様を概略的に示す。具体的には、図３Ａは、開いた構成におけるコンテナ３００を概略的に示し、図３Ｂは、閉じた構成におけるコンテナ３００を概略的に示す。１つの実施態様では、コンテナ３００は、外側シェル３０２の１つ又は複数の表面が折り畳まれ得るように、１種又は複数種の変形可能な材料から作製される。
【００２０】
１つの実例では、開口部３０４が、コンテナ３００の内部収納コンパートメントに及ぶ。開口部３０４は、第１の閉鎖機構３０６により部分的に又は全体的に封止され得る。１つの実例では、第１の閉鎖機構は、開口部３０４の周囲の少なくとも一部分の周りに延在する磁気クロージャを含む。さらに、又はその代わりに、第１の閉鎖機構３０６は、とりわけ、レール型ファスナ及び／又はジッパ・ファスナを含み得る。さらに、開口部３０４は、外側シェル３０２の上方部分３０８を第２の閉鎖機構３１０に向かって折り畳む／巻くことにより、部分的に又は全体的に封止され得る。図３Ｂに示されるように、第２の閉鎖機構３１０は、折り畳まれた上部部分３０８上に延在して外側シェル３０２の背面側（図示せず）に貼り付くように構成され得る。したがって、第２の閉鎖機構３１０は、とりわけ、１つ又は複数の面ファスナ、留め具ファスナ、ひも、若しくは磁気要素を含み得る。
【００２１】
図４は、本明細書において説明される１つ又は複数の態様によるコンテナ４００の１つの実施態様を概略的に示す。１つの実施態様では、コンテナ４００は、背面シェル４０４に結合される前面シェル４０２を有する。１つの実例では、前面シェル４０２は、コンテナ４００の１つ又は複数の側部表面（例えば、底部表面４１０、左側表面４１２、右側表面４１４、及び／又は上部表面４１６）に沿って位置決めされたヒンジ機構（図４では示されていない）により、背面シェル４０４に結合される。前面シェル４０２は、コンテナ４００の収納コンパートメント（図４では示されていない）に及ぶ開口部を部分的に又は全体的に封止するように構成された１つ又は複数の追加の又は代替的な閉鎖機構により、背面シェル４０４に結合され得る。１つの実例では、コンテナ４００は、とりわけ、レール型閉鎖機構、ジッパ・クロージャ、及び／又は磁気閉鎖機構を含み得る。したがって、１つ又は複数の追加の又は代替的な閉鎖機構は、フレーム要素４０６の周りに部分的に又は全体的に延在する開口部を封止するように構成され得る。
【００２２】
１つの実例では、コンテナ４００は、前面シェル４０２を背面シェル４０４からヒンジ式に分離してコンテナ４００の１つ又は複数の内部収納コンパートメントへのアクセスを得る／前面シェル４０２を背面シェル４０４にヒンジ式に結合させてコンテナ４００の１つ又は複数の内部収納コンパートメントを封止するために、ユーザがコンテナ４００を手で把持できるようにする把持表面を提供するように構成されたプル・タブ４０８ａ及び４０８ｂを含む。コンテナ４００は、コンテナ４００の１つ又は複数の側部表面に沿って位置決めされるヒンジ機構（図４では示されていない）の代わりに、１つ又は複数の代替的な結合機構を含み得ることが、さらに意図されている。例えば、前面シェル４０２は、背面シェル４０４に取外し可能に結合されるように構成され得る。
【００２３】
前面シェル４０２及び背面シェル４０４のうちの１つ又は複数は、変形可能であってもよく、又は、部分的に若しくは完全に剛体であってもよい。１つの実例では、背面シェル４０４内の前面シェル４０２のうちの１つ又は複数は、成形ＥＶＡ（エチレン酢酸ビニル）から作製されてもよく、且つ、ファブリック被覆を有し得る。このファブリック被覆は、これらの開示の範囲から逸脱することなしに、任意の合成繊維材料又は天然繊維材料を含み得る。コンテナ４００は、これらの開示の範囲から逸脱することなしに、任意のポリマー、複合材、及び／又は金属／合金を利用し得ることが、さらに意図されている。
【００２４】
図５は、コンテナ４００の内部コンパートメント５０２内を見せるために前面シェル４０２の前部表面が取り除かれているコンテナ４００の別の図を概略的に示す。図５は、底部表面４１０の一部分に沿って延在し且つ前面シェル４０２を背面シェル４０４にヒンジ式に結合するように構成されたヒンジ機構５０４を、概略的に示す。さらに、図５は、少なくとも部分的にコンテナ４００の周囲の周りに延在するフレーム４０６の内部の見た目を概略的に示す。１つの実例では、フレーム４０６は、エラストマから作製される。前述のように、フレーム４０６は、内部収納コンパートメント５０２内への開口部を部分的に又は全体的に封止するように構成された、１つ又は複数の追加の又は代替的な閉鎖機構を含む。これらの追加の又は代替的な閉鎖機構は、続く図に関連してさらに詳細に説明される。
【００２５】
図６は、本明細書において説明される１つ又は複数の態様によるコンテナ４００の上部部分の断面図を概略的に示す。図６は、前面シェル４０２の内部周囲の少なくとも一部分の周りに延在する前面フレーム６０２を有する前面シェル４０２を概略的に示す。コンテナ４００はまた、背面シェル４０４、及び、背面シェル４０４の内部周囲の周りに延在する背面フレーム６０４を含む。１つの実例では、コンテナ４００は、前面磁気ストリップ６０６を含む閉鎖機構を有する。前面磁気ストリップ６０６は、前面フレーム６０２の少なくとも一部分の周りに延在し得る。さらに、前面磁気ストリップ６０６は、前面フレーム６０２の前面チャネル６１０内に封入され得る。同様に、閉鎖機構は、背面フレーム６０４の少なくとも一部分の周りに延在する背面磁気ストリップ６０８を含み得る。背面磁気ストリップ６０８もまた、背面フレーム６０４の背面チャネル６１２内に封入され得る。前面磁気ストリップ６０６及び背面磁気ストリップ６０８は、１つ若しくは複数の線形ストリップ又は２次元アレイに構成された１つ又は複数の磁気要素を含み得ることが、意図されている。例えば、前面磁気ストリップ６０６及び背面磁気ストリップ６０８は、連続的な磁気要素、又は、前面チャネル６１０及び背面チャネル６１２内で互いに離間された幾つかの磁気要素を含み得る。前面磁気ストリップ６０６及び背面磁気ストリップ６０８は、１つ又は複数の永久磁石、及び／又は、磁石に引き付けられる金属／合金を含む要素を含み得ることが、意図されている。したがって、前面磁気ストリップ６０６は、背面磁気ストリップ６０８に磁気的に結合するように構成され得る。
【００２６】
さらに、コンテナ４００の閉鎖機構は、ジッパ６１４を含み得る。ジッパ６１４は、前面フレーム６０２及び背面フレーム６０４の少なくとも一部分の周りに延在し得る。本開示の範囲から逸脱することなしに、任意のサイズ（例えば、歯サイズ、間隔）を有し且つ／又は任意のスライダ体及びプル・タイプを有する任意のジッパ機構が利用され得ることが、意図されている。ジッパ６１４は、部分的に又は全体的に耐水であるように構成されることが、さらに意図されている。したがって、ジッパ６１４は、閉じられたときに、収納コンパートメント５０２内への水の侵入を部分的に又は全体的に防ぐことができる。さらに、又はその代わりに、前面磁気ストリップ６０６及び背面磁気ストリップ６０８を含む磁気クロージャは、内部収納コンパートメント５０２が部分的に又は全体的に耐水且つ／又は気密であるように、内部収納コンパートメント５０２内への開口部を封止し得る。
【００２７】
１つの実例では、ジッパ組立体６１４は、圧縮空気を用いた試験中に、大気圧より最高で４８．２６３２９９ｋＰａ（７ｐｓｉ）高い水密とされ得る。しかし、他の実例では、クロージャ６１４の水密性は、大気圧より３４．４７３７８５ｋＰａ（５ｐｓｉ）から６２．０５２８１３ｋＰａ（９ｐｓｉ）まで高くされ得、また、他の実例では、クロージャ６１４の水密性は、大気圧より１３．７８９５１４ｋＰａ（２ｐｓｉ）から９６．５２６５９８ｋＰａ（１４ｐｓｉ）まで高くされ得る。防水ジッパ組立体６１４は、スライダ体及びプル・タブ（図示せず）を含み得る。１つの具体的な実例では、防水ジッパ組立体６１４は、コンテナ４００の内部収納コンパートメントから内容物を取り出すときの負傷を防ぐために、プラスチック又は他の非金属の歯を有して作製され得る。
【００２８】
さらに有利には、前面磁気ストリップ６０６及び背面磁気ストリップ６０８を含む磁気閉鎖機構は、ストリップ６０６及び６０８が互いに磁気的に結合されたときに、前面シェル４０２と背面シェル４０４とを位置合わせすることができる。この磁気的な位置合わせは、ジッパ歯の位置ずれ等に起因して起こり得るジッパ機構の引っかかり（ｓｎａｇｇｉｎｇ）／他の部分的な故障を伴うことなしにジッパ６１４が手動で開閉されることを可能にし得る。
【００２９】
図７は、本明細書において説明される１つ又は複数の態様による、コンテナ４００に類似し得るコンテナ７００の１つの実施態様を示す。具体的には、コンテナ７００は、前面シェル４０２に類似し得る前面シェル７０２と、背面シェル４０４に類似し且つ前面シェル７０２にヒンジ式に結合されるよう構成され得る背面シェル７０４と、を有する。示されるように、前面シェル７０２は、内部収納コンパートメントが開口部７０６を通じてアクセス可能であるように、背面シェル７０４から分離される。図７はまた、ジッパ６１４に類似し得るジッパ７０８を示す。
【００３０】
図８Ａ〜８Ｂは、本明細書において説明される１つ又は複数の態様によるコンテナ８００の実施態様を概略的に示す。具体的には、図８Ａは、コンテナ８００の正面図を概略的に示し、図８Ｂは、コンテナ８００の同じ実施態様の部分的な背面図を概略的に示す。１つの実例では、コンテナ８００は、部分的に又は全体的に耐水材料から形成された外側シェル８０２を有し得る。コンテナ８００の外側シェル８０２は、前面部分８０４、背面部分８０６、側面部分８０８、及び基部部分８１０を含み得ることが、意図されている。コンテナ８００はまた、コンテナ８００の上部における開口部（図８Ａ又は８Ｂでは示されていない）を再封可能に封止するように構成され得る閉鎖機構８１２を含んでもよい。さらに、コンテナ８００は、背面部分８０６上に取付機構８１４を含んでもよく、この取付機構８１４は、数ある中でも例えばバッグ、断熱容器、又は衣料品（例えば、ベルト）などの別の構造にコンテナ８００を取外し可能に結合するために利用され得る。１つの実施態様では、取付機構は、ストラップが外部構造に取外し可能に結合されることを可能にするように構成された、面ファスナ付きの１つ又は複数のストラップを含み得る。
【００３１】
１つの実例では、コンテナ８００は、断熱デバイス又は断熱容器などの別のコンテナに取外し可能に結合されるように構成され得る。具体的には、コンテナ８００は、あらゆる非限定的な目的のためにその全内容が参照によりそのまま本明細書に組み込まれている、２０１６年９月９日に出願された米国特許出願第１５／２６１４０７号で説明されている断熱デバイスのうちの１つ又は複数に取外し可能に結合されるように構成され得る。同様に、本明細書にわたって説明される他のコンテナ１００、２００、３００、４００、７００、及び／又は１４００のいずれもが、米国特許出願第１５／２６１４０７号で説明されている断熱デバイスのうちの１つ又は複数に取外し可能に結合されるように構成され得る。
【００３２】
コンテナ８００の外側シェル８０２は、示された前面部分８０４、背面部分８０６、側面部分８０８、及び基部部分８１０を形成するように互いに結合される１つ又は複数のパネルから作製され得ることが、意図されている。具体的には、１つ又は複数のパネルは、とりわけ、互いに接着されるか、縫い付けられるか、又は溶接（とりわけ、超音波溶接、ＲＦ溶接）され得る。コンテナ８００の外側シェル８０２は、実質的に剛体の１つ若しくは複数の構造体、より変形しやすい１つ若しくは複数の構造体、又はそれらの組合せを有し得ることが、意図されている。さらに、外側シェル８０２は、１種若しくは複数種の（とりわけ、ポリプロピレン、ポリ塩化ビニル、ポリエチレン、ポリエチレン・テレフタレート、アクリロニトリル・ブタジエン・スチレンなどの）ポリマー、複合材料、及び／又は１種若しくは複数種の金属／合金を利用し得る。
【００３３】
図９Ａ〜９Ｃは、本明細書において説明される１つ又は複数の態様による、開いた構成におけるコンテナ８００を概略的に示す。具体的には、図９Ａは、コンテナ８００の正面図を概略的に示し、図９Ｂは、側面図を概略的に示し、図９Ｃは、背面図を概略的に示す。１つの実施態様では、外側シェル８０２によって封入された１つ又は複数の収納コンパートメントに及ぶ開口部９０２が、コンテナ８００の上部に位置決めされ得る。コンテナ８００は、磁気シールを含む閉鎖機構を含み得る。磁気シールは、本明細書の続く節においてさらに詳細に説明され、且つ、要素９０４として図９Ａの破断窓内に部分的に概略的に示されている。後続の図に関連してさらに詳細に説明されるように、磁気シール９０４は、コンテナ８００における開口部９０２を磁気的に且つ再封可能に封止するように構成され得る。さらに、又はその代わりに、コンテナ８００の閉鎖機構は、背面部分８０６から開口部９０２の縁部（破線９０３により概略的に示されている開口部９０２の縁部）より上側へ延在するフラップ部分９０６を含み得る。フラップ部分９０６は、第２のファスナ要素９１０に取外し可能に結合されるように構成された第１のファスナ要素９０８を含み得る。第２のファスナ要素９１０は、コンテナ８００の前面部分８０４の外部表面にさらに結合される。１つの実例では、第１のファスナ要素９０８及び第２のファスナ要素９１０は、面ファスナ要素を含み得る。別の実施態様では、第１のファスナ要素９０８及び第２のファスナ要素９１０は、とりわけ、レール／ジッパ型ファスナ、１つ又は複数のボタン、留め具、スナップ、ひも、又は干渉型の取外し可能な結合具、又は磁石を含み得る。
【００３４】
１つの実施態様では、コンテナ８００の外側シェルは、第１のファスナ要素９０８及び第２のファスナ要素９１０を互いに係合させるために、１つ又は複数の線（図９Ａ〜９Ｃでは示されていない）に沿って折り畳まれるように構成され得る。コンテナ８００は、第１のファスナ要素９０８と第２のファスナ要素９１０との間のおおよそ中ほどに離間された１つ又は複数の折畳み線に沿って（例えば、概略的に示された線９０５に沿って）折り畳まれ得ることが、意図されている。さらに、又はその代わりに、コンテナ８００の外側シェルの少なくとも一部分は、第１のファスナ要素９０８及び第２のファスナ要素９１０を互いに係合させるために、巻かれるように構成されてもよい。
【００３５】
図１０は、本明細書において説明される１つ又は複数の態様によるコンテナ８００の背面部分の図を概略的に示す。具体的には、図１０は、開いた構成における取付機構８１４を含むコンテナ８００を概略的に示す。１つの実例では、取付機構８１４は、２つのストラップ（例えば、ストラップ１００２ａ及び１００２ｂ）を含み得る。取付機構８１４は、これらの開示の範囲から逸脱することなしに、単一の（ストラップ１００２ａ及び１００２ｂのうちの１つに類似した）ストラップ、又は３つ以上の（ストラップ１００２ａ及び１００２ｂのうちの１つ又は複数に類似した）ストラップを利用し得ることが、意図されている。ストラップ１００２ａ及び１００２ｂは、実質的に類似し得ることが、意図されている。したがって、以下ではストラップ１００２ａについて説明され、また、同様の特徴がストラップ１００２ｂに存在することが推測され得る。
【００３６】
１つの実施態様では、ストラップ１００２ａは、ファスナ要素１００４ａ、１００６ａ、及び１００８ａを含む。１つの実例では、要素１００４ａ、１００６ａ、及び１００８ａは、面ファスナを含むことができ、また、要素１００４ａ、１００６ａ、及び１００８ａのそれぞれは、要素１００４ａ、１００６ａ、及び１００８ａのうちの選択された１つがそれ自体に又は他の２つのファスナ要素のうちの１つ若しくは複数に取外し可能に結合するように構成され得るように、フック要素及びループ要素のうちの一方又は両方を含む。１つの実例では、ファスナ要素１００４ａ、１００６ａ、及び１００８ａは、ストラップ１００２ａ上に接着されるか、溶接されるか、又は縫合され得る。例えば、要素１０１０ａ、１０１２ａ、及び１０１４ａが、それに沿ってファスナ要素１００８ａがストラップ１００４ａに縫合される継ぎ目を表わし得る。さらに、継ぎ目１０１０ａ、１０１２ａ、及び１０１４ａは、さらに又はその代わりに、ストラップ１００４ａを背面部分８０６に結合し得る。さらに、ファスナ要素１００４ａ、１００６ａ、及び１００８ａは、フック要素及びループ要素に加えて又はその代わりとしてファスナ構造体を含み得ることが、意図されている。具体的には、ファスナ要素は、これらの開示の範囲から逸脱することなしに、とりわけ、１つ又は複数のレール／ジッパ型ファスナ、１つ又は複数のボタン、留め具、スナップ、バックル、ペグ、磁石、又はひもを含み得る。
【００３７】
１つの実施態様では、コンテナ８００の収納コンパートメントは、１つ又は複数の副コンパートメントを含み得る。したがって、図１１は、本明細書において説明される１つ又は複数の態様による、コンテナ８００の内部背面パネル１１００の一部分を概略的に示す。具体的には、コンテナ８００の収納コンパートメントは、収納副コンパートメント１１０２を含み得る。１つの特定の実例では、収納副コンパートメント１１０２は、パッド入りスリップ・ポケット（ｐａｄｄｅｄ  ｓｌｉｐ  ｐｏｃｋｅｔ）を含み得る。１つの実施態様では、パッド入りスリップ・ポケット１１０２は、内部背面１１０４に結合され得る。１つの実例では、コンテナ８００の背面部分８０６は、内部背面１１０４が背面部分８０６の内部表面であるように、材料の単一の層を含み得る。別の実施態様では、コンテナ８００は、内部背面１１０４が背面部分８０６のそれに対して独立した構造であるように、材料の複数の層を含む。パッド入りスリップ・ポケット１１０２は、スリップ・ポケット前面パネル１１０８とスリップ・ポケット背面パネル１１１０との間に形成された開口部１１０６を含み得ることが、意図されている。スリップ・ポケット前面パネル１１０８は、位置１１１４ａ及び１１１４ｂにおいてスリップ・ポケット背面パネル１１１０に結合される、上縁部継ぎ目１１１２を有し得る。さらに、スリップ・ポケット背面パネル１１１０は、ポケット１１０８の全周の周りに延在し得る継ぎ目１１１６に沿って、内部背面１１０４に結合され得る。１つの実施態様では、継ぎ目１１１６並びに結合点１１１４ａ及び１１１４ｂは、縫合結合部を含み得る。他の実施態様では、継ぎ目１１１６並びに結合点１１１４ａ及び１１１４ｂは、さらに又はその代わりに、とりわけ溶接又は接着され得る。
【００３８】
幾つかの実例では、副コンパートメント１１０２は、コンテナ８００が落とされるか又は外部の要素／構造にぶつかった場合の損傷の可能性を低くするために、その中に収納された１つ又は複数の物品にいくらかの衝撃吸収が提供されるように、パッド入りとされ得る。したがって、スリップ・ポケット前面パネル１１０８及びスリップ・ポケット背面パネル１１１０のうちの１つ又は複数は、１つ又は複数のパッディング要素を含み得る。１つの実例では、パネル１１０８及び１１１０のうちの１つ又は複数は、２つの外部層間に位置決めされた発泡体（例えば、ポリエチレン発泡体）、ハニカム、及び／又は気嚢材料のうちの１つ又は複数を含み得る。別の実施態様では、パネル１１０８及び１１１０のうちの１つ又は複数は、とりわけネオプレン／ポリクロロプレンなどのパッド入り材料の単一の層を含み得る。
【００３９】
図１２は、本明細書において説明される１つ又は複数の態様による、コンテナ８００の内部前面パネル１２００の一部分を概略的に示す。図１２は、図１１の副コンパートメント１１０２と同様の方法で、副コンパートメント１２０２を概略的に示し、この副コンパートメント１２０２は、ジッパ・クロージャを有するパッド入り又はパッド無しのコンパートメントとされ得る。具体的には、ジッパ・クロージャ１２０４は、副コンパートメント１２０２に及ぶ開口部１２０６のための部分的に又は完全に封止可能なクロージャを提供するように構成され得る。副コンパートメント１１０２と同様に、副コンパートメント１２０２は、ジップ・ポケット背面パネル１２０８及びジップ・ポケット前面パネル１２１０を含み得る。ジップ・ポケット背面パネル１２０８は、コンテナ８００の内部前面１２１２に結合され得る。１つの実例では、内部前面１２１２は、前面部分８０４の内部表面である。他の実例では、コンテナ８００は、内部前面１２１２が１つ又は複数の中間材料層により前面部分８０４から離間されるように、複数の層を有し得る。
【００４０】
１つの実例では、ジップ・ポケット背面パネル１２０８は、ポケット１２０２の全周の周りに延在し得る継ぎ目１２１４に沿って、内部前面１２１２に結合され得る。さらに、継ぎ目１２１４は、とりわけ、縫い付けられるか、溶接されるか、又は接着され得る。さらに、ジップ・ポケット前面パネル１２１０は、継ぎ目１２１４に沿って背面パネル１２０８及び／又は内部前面１２１２に結合され得る。ジッパ・クロージャ１２０４は、開口部１２０６をはさんで離間されたエンド・ストップ１２１６ａ及び１２１６ｂを含み得る。
【００４１】
ジップ・ポケット背面パネル１２０８及びジップ・ポケット前面パネル１２１０のうちの１つ又は複数は、スリップ・ポケット前面パネル１１０８及びスリップ・ポケット背面パネル１１１０と同様に、パッド入り又はパッド無しとされ得る。さらに、又はその代わりに、ジップ・ポケット背面パネル１２０８及びジップ・ポケット前面パネル１２１０のうちの１つ又は複数は、メッシュ材料、又は部分的に若しくは全体的に透明なポリマー材料を含み得る。
【００４２】
図１３Ａは、本明細書において説明される１つ又は複数の態様による、コンテナ８００の１つの実施態様の端面断面図を概略的に示す。前述のように、前面部分８０４、背面部分８０６、及び基部部分８１０（並びに、図１３Ａでは示されていない側面部分８０８）により、内部コンパートメント１３０２が囲まれる。さらに、内部コンパートメント１３０２は、１つ又は複数の副コンパートメント１１０２及び１２０２を含み得る。
【００４３】
図１１の説明に付け加えて、図１３Ａは、スリップ・ポケット前面パネル１１０８及びスリップ・ポケット背面パネル１１１０内のパッディング層１３０４を概略的に示す。１つの特定の実施態様では、パッディング層１３０４は、０．５〜５ｍｍのポリエチレン発泡体を含み得る。これらの開示の範囲から逸脱することなしに、他のタイプの発泡体、パッディング材料、及び／又は他の厚さが利用され得ることが、意図されている。
【００４４】
前述のように、前面部分８０４、背面部分８０６、側面部分８０８、及び基部部分８１０のうちの１つ又は複数は、互いに結合される複数の材料のパネルを含み得る。１つの特定の実例では、前面部分８０４は、上方前面部分１３０８に結合される下方前面部分１３０６を含み得る。同様に、背面部分８０６は、上方背面部分１３１２に結合される下方背面部分１３１０を含み得る。或いは、下方前面部分１３０６及び上方前面部分１３０８は、単一の要素として形成されてもよく、且つ／又は、下方背面部分１３１０及び上方背面部分１３１２は、単一の要素として形成されてもよい。
【００４５】
１つの実例では、上方前面部分１３０８は、コンパートメント１３０２内への開口部１３１６の前面縁部１３１４を含み得る。同様に、上方背面部分１３１２は、開口部１３１６の背面縁部１３１８を含み得る。
【００４６】
図１３Ｂは、本明細書において説明される１つ又は複数の態様による、コンテナ８００の開口部１３１６のより詳細な見た目を概略的に示す。具体的には、図１３Ｂは、第１の磁気ストリップ上面側１３２９及び第１の磁気ストリップ底面側１３３１を有し且つ開口部１３１６の前面縁部１３１４において前面部分８０４の内部表面１２１２に結合された第１の磁気ストリップ１３２０の端面断面図を概略的に示す。同様に、第２の磁気ストリップ上面側１３３３及び第２の磁気ストリップ底面側１３３５を有する第２の磁気ストリップ１３２２が、開口部１３１６の背面縁部１３１８において背面部分８０６の内部表面１１０４に結合され得る。
【００４７】
１つの実施態様では、第１の磁気ストリップ１３２０は、少なくとも上方継ぎ目１３２４及び下方継ぎ目１３２６に沿って内部表面１２１２にしっかりと結合され得る。さらに、第２の磁気ストリップ１３２２は、内部表面１１０４にヒンジ式に結合され得る。磁気ストリップ１３２２のヒンジ結合は、開口部１３１６の背面縁部１３１８に位置する継ぎ目１３２８におけるものであってよい。したがって、第２の磁気ストリップ１３２２は、表面１１０４から分離され且つ継ぎ目１３２８の周りで回転することができる、自由な端部１３３０を有し得る。さらに、第２の磁気ストリップ底面側１３３５は、外側シェル８０２から離され得る。別の実例では、第１の磁気ストリップ底面側１３３１及び第２の磁気ストリップ底面側１３３５のどちらか又は両方が、外側シェル８０２から離され得る。
【００４８】
別の実施態様では、図１３Ｃに概略的に示されるように、これらの開示の範囲から逸脱することなしに、第１の磁気ストリップ１３２０は、上方継ぎ目１３２４に沿って内部表面１２１２にヒンジ式に結合されてもよく、第２の磁気ストリップ１３２２は、上方継ぎ目１３２８及び別の下方継ぎ目１３４０により、内部表面１１０４に堅固に結合されてもよい。したがって、第１の磁気ストリップ１３２０は、表面１２１２から分離され且つ継ぎ目１３２４の周りで回転することができる、自由な端部１３４２を有し得る。
【００４９】
さらに別の実施態様では、図１３Ｄに概略的に示されるように、第１の磁気ストリップ１３２０及び第２の磁気ストリップ１３２２の両方が、それぞれの前面縁部１３１４及び１３１８においてそれぞれの内部表面１２１２及び１１０４にヒンジ式に結合され得る。したがって、第１の磁気ストリップ１３２０は、表面１２１２から分離される自由な端部１３４２を有することができ、第２の磁気ストリップ１３２２は、表面１１０４から分離される自由な端部１３３０を有することができる。
【００５０】
有利には、第１の磁気ストリップ１３２０及び／又は第２の磁気ストリップ１３２２のうちの１つ又は複数のヒンジ式結合は、磁気ストリップ１３２０及び１３２２の両方がそれぞれの内部表面１２１２及び１１０４に堅固に結合された場合よりも比較的高い内部／外部圧力が内部コンパートメント１３０２の側壁に加えられるまで、磁気結合が係合され続けてコンパートメント１３０２を封止することを可能にし得る。
【００５１】
図１４は、本明細書において説明される１つ又は複数の態様による、コンテナ８００に類似したコンテナ１４００の１つの実施態様を示す。具体的には、コンテナ１４００は、前面部分８０２に類似し得る前面部分１４０２と、背面部分８０６に類似し得る背面部分１４０４と、を含み得る。コンテナ１４００はまた、フラップ部分９０６に類似し得るフラップ部分１４０６を含み得る。したがって、フラップ部分１４０６は、それに結合された第１のファスナ要素１４０８を有し得る。第１のファスナ要素１４０８は、第１のファスナ要素９０８に類似してもよく、且つ、前面部分１４０２の外部表面に結合される第２のファスナ要素１４１０に結合するように構成され得る。したがって、第２のファスナ要素１４１０は、第２のファスナ要素９１０に類似し得る。１つの特定の実例では、第１のファスナ要素１４０８及び第２のファスナ要素１４１０は、面ファスナ要素を含み得る。しかし、これらの開示の範囲から逸脱することなしに、これらの要素とともに追加の又は代替的なファスナ要素が利用されてもよい。
【００５２】
さらに、図１４は、磁気ストリップ１４１２を示す。この磁気ストリップ１４１２は、磁気ストリップ１３２２に類似してもよく、且つ、コンテナ１４００の開口部１４１４を磁気的に封止するように構成され得る。具体的には、磁気ストリップ１４１２は、開口部１４１４の背面縁部１４０５において背面部分１４０４の内部表面に結合され得る。１つの実例では、磁気ストリップ１４１２は、開口部１４１４の前面縁部１４１６において前面部分１４０２の内部表面に結合される第２の磁気ストリップ（図示せず）に磁気的に付着するように構成され得る。
【００５３】
１つの実施態様では、磁気ストリップ１４１２は、磁気要素（例えば、要素１４１８ａ、１４１８ｂ、等）の列を含み得る。１つの実施態様では、これらの磁気要素１４１８ａ、１４１８ｂは、永久磁石であり得る。別の実例では、磁気要素１４１８ａ、１４１８ｂは、永久磁石に磁気的に引き付けられ得る。磁気ストリップ１４１２は、さらに又はその代わりに、２つ以上の列を有する要素１４１８ａ及び１４１８ｂに類似した磁気要素のアレイを含み得ることが、さらに意図されている。さらに、磁気ストリップ１４１２は、一連の複数の磁気要素（例えば、要素１４１８ａ及び１４１８ｂ）ではなく、１つ又は複数の連続的な磁気バンドを含み得ることが、意図されている。これらの磁気バンドは、これらの開示の範囲から逸脱することなしに、１つ又は複数の磁気ワイヤ若しくは磁気フォイルを含み得る。さらに、これらの開示の範囲から逸脱することなしに、磁気クロージャの追加の又は代替的な実施態様が、コンテナ１４００とともに利用され得る。
【００５４】
１つの実例では、磁気ストリップ１３２０、１３２２及び／又は１４１２によって形成される磁気シールは、開口部９０２及び／又は１４１４の部分的に又は全体的に耐水のシールを形成し得る。
【００５５】
図１５は、本明細書において説明される１つ又は複数の態様による、図１４からのコンテナ１４００の別の図を示す。１つの実例では、図１５は、磁気ストリップ１４１２は開口部１４１４の背面縁部１４０５において背面部分１４０４の内部表面にヒンジ式に結合され得ることを示す。
【００５６】
図１６は、本明細書において説明される１つ又は複数の態様による、図１４からのコンテナ１４００の別の図を示す。具体的には、図１６は、コンテナ１４００の磁気ファスナ、例えば開口部１４１４を封止するために第２の磁気ストリップに磁気的に結合するように構成された磁気ストリップ１４１２を含むファスナの試験を示す。
【００５７】
示されるように、コンテナ１４００は、コンテナ１６００の背面部分１６０４上に５ｋｇの質量が位置決めされたときに気密シールを維持する磁気ファスナの能力を示す（この試験の段取りでは、コンテナ１６００は空気のみを収容する）。
【００５８】
図１７Ａ〜１７Ｂは、本明細書において説明される１つ又は複数の態様による、コンテナ１７００の別の実施態様の等角図を概略的に示す。具体的には、図１７Ａは、開いた構成におけるコンテナ１７００を概略的に示し、図１７Ｂは、閉じた構成におけるコンテナを概略的に示す。１つの実例では、コンテナ１７００は、コンテナ８００に類似し、且つ、前面部分１７０４、背面部分１７０６、側面部分１７０８、及び基部部分１７１０を含む外側シェル１７０２を有し得る。さらに、コンテナ１７００は、第２のファスナ要素１７１４に取外し可能に結合されるように構成された第１のファスナ要素１７１２を有する。第１のファスナ要素１７１２を第２のファスナ要素１７１４に取外し可能に結合するために、背面部分１７０６のフラップ部分１７１６が、第１のファスナ要素１７１２を第２のファスナ要素１７１４に近接させるように折り畳まれるか又は巻かれ得る。コンテナ１７００は、図１３Ｂに関連して説明された磁気クロージャのそれに類似した磁気クロージャ１７１３を有し得ることが、さらに意図されている。したがって、１つの実例では、コンテナ１７００が図１７Ａの開いた構成にあるときに、磁気クロージャは、最高で１．７２３６８９ｋＰａ（０．２５ｐｓｉ）の圧力までコンテナ１７００を封止することが可能とされ得る。他の実例では、コンテナ１７００が図１７Ａの開いた構成にあるときに、磁気クロージャは、最高で２．０６８４２７ｋＰａ（０．３ｐｓｉ）、２．７５７９０２ｋＰａ（０．４ｐｓｉ）、３．４４７３７８ｋＰａ（０．５ｐｓｉ）、４．１３６８５４ｋＰａ（０．６ｐｓｉ）、４．８２６３２９ｋＰａ（０．７ｐｓｉ）、又は６．８９４７５７ｋＰａ（１．０ｐｓｉ）までの圧力に対してコンテナ１７００を封止することを可能とされ得る。さらに、図１７Ｂの閉じた構成にある場合、磁気クロージャ１７１３と第１のファスナ要素１７１２及び第２のファスナ要素１７１４との組合せは、最高で１８．９６０５８１ｋＰａ（２．７５ｐｓｉ）の圧力までコンテナ１７００を封止することを可能とされ得る。他の実例では、磁気クロージャ１７１３と第１の磁気要素１７１２及び第２の磁気要素１７１４との組合せは、最高で２０．６８４２７１ｋＰａ（３．０ｐｓｉ）、２４．１３１６４９ｋＰａ（３．５ｐｓｉ）、２７．５７９０２８ｋＰａ（４．０ｐｓｉ）、３１．０２６４０６ｋＰａ（４．５ｐｓｉ）、又は３．４４７３７８ｋＰａ（．５０ｐｓｉ）の圧力までコンテナ１７００を封止することを可能とされ得る。
【００５９】
図１８Ａ〜１８Ｂは、本明細書において説明される１つ又は複数の態様による閉鎖機構の等角図を概略的に示す。具体的には、図１８Ａは、閉鎖機構１８００の上面部分の等角図を概略的に示す。閉鎖機構１８００は、コンテナ４００の閉鎖機構に類似し、且つ、背面フレーム６０４に類似した背面フレーム１８０２を含むことができ、背面フレーム１８０２は、前面フレーム６０２に類似した前面フレーム１８０４に磁気的に且つ取外し可能に結合されるように構成される。結合されると、図１８Ａ〜１８Ｃに示されるように、ジッパ・トラフ又はジッパ・チャネル１８０６が形成される。１つの実例では、ジッパ・トラフ１８０６は、スライダ体がジッパ・テープ（例えば、ジッパ６１４）に沿って移動するための隙間を提供するように構成され得る。図１８Ｂは、閉鎖機構１８００の底面部分の等角図を概略的に示す。１つの実例では、背面フレーム１８０２及び前面フレーム１８０４のそれぞれは、複数の磁気要素を含むことができ、そのうちの要素１８０８ａ〜１８０８ｃが、複数の類似の要素の実例である。１つの実施態様では、磁気要素、例えば要素１８０８ａ〜１８０８ｃは、１種若しくは複数種の成形法、オーバモールド法、接着法、又は干渉嵌まり法を使用して、前面フレーム１８０４及び背面フレーム１８０２に結合され得る。１つの実例では、背面フレーム１８０２及び前面フレーム１８０４のそれぞれに含まれる磁気要素は、前面フレーム１８０４が背面フレーム１８０２に磁気的に結合されたときに、互いに当接し得る。別の実例では、背面フレーム１８０２及び／又は前面フレーム１８０４のそれぞれに含まれる磁気要素は、互いに直接接触することなしに、磁力を働かせ得る。１つの実例では、磁気要素、例えば要素１８０８ａ〜１８０８ｃは、永久磁石であり得るか、又は、強磁性材料若しくは常磁性材料であり得る。さらに、又はその代わりに、閉鎖機構１８００は、これらの開示の範囲から逸脱することなしに、個別の磁気要素（例えば、要素１８０８ａ〜１８０８ｃ）ではなく磁気ストリップを含み得る。
【００６０】
図１９は、本明細書において説明される１つ又は複数の態様による閉鎖機構１９００の別の実施態様の断面図を概略的に示す。１つの実例では、閉鎖機構１９００は、コンテナ４００の閉鎖機構に類似し、且つ、コンテナ４００に類似したコンテナの外側シェルを形成する背面シェル１９０２及び前面シェル１９０４を含み得る。さらに、閉鎖機構１９００は、背面シェル１９０２と前面シェル１９０４との間に開口部１９０８の第１のクロージャを提供するように構成されたジッパ１９０６を含み得る。１つの実例では、ジッパ１９０６は、ジッパ１９０６が閉じられたときに張力が前面フレーム１９１２を背面フレーム１９１０に向かって付勢するように、背面シェル１９０２及び前面シェル１９０４に伸縮自在に結合され得る。同様に、この張力は、前面磁気ストリップ１９１４を背面磁気ストリップ１９１６に向かって付勢する。１つの実例では、前面フレーム１９１２が背面フレーム１９１０に磁気的に且つ取外し可能に結合されたときに、ジッパ・トラフ１９１８が形成される。別の実例では、閉鎖機構１９００は、前面磁気ストリップ１９１４が背面磁気ストリップ１９１６に磁気的に結合されたときに開口部１９０８のさらなる封止を提供するように構成されたパッキン要素１９２０及び１９２２を含み得る。
【００６１】
図２０〜２４は、様々な内容物を収納するように構成され得る例示的なバッグ２３００の全体を示す。図２０は、本明細書において説明される１つ又は複数の態様によるバッグ２３００の前面の等角図を示し、図２１は、バッグ２３００の背面の図を示し、図２２は、バッグ２３００の右側面を示し、図２３は、バッグの左側面を示し、図２４は、バッグ２３００の底面を示す。バッグ２３００は、柔軟側面構造（ｓｏｆｔ−ｓｉｄｅｄ  ｓｔｒｕｃｔｕｒｅ）を含むことができ、且つ、とりわけ、立方形、丸みを帯びた隅部を含む矩形の角柱、円筒、長円の円筒、又は楕円の円筒を全体的に表わすことができる。１つの実施態様では、バッグ２３００は、ユーザの一方又は両方の肩上で支持されるときのユーザの背中での人間工学的な装着のための幾何形状を有するバックパックとして実施され得る。さらに、又はその代わりに、バッグ２３００は、手で持ち運ばれてもよく、又は、ダッフル・タイプのバッグとして持ち運ばれてもよい。例示的なバッグ２３００の外側シェルは、図２３に示されるような前面パネル２３０２、及び、図２４に示されるような背面パネル２３０４を含み得る。さらに、バッグ２３００の外側シェルは、図２３に示されるような上面側壁２３０６、図２４に示されるような底面側壁２３０８、図２２に示されるような右側壁２３１０、及び、図２３に示されるような左側壁２３１２を含むことができ、それらは、例示的なバッグ２３００の外側シェルを形成する。例示的なバッグ２３００はまた、場合により主クロージャ又は主開口部２３１４とも呼ばれるクロージャ２３１４を含むことができ、このクロージャ２３１４は、１つの実例では、外側シェルの一部分に沿って延在し得る。示されるように、クロージャ２３１４は、右側壁２３１０から上面側壁２３０６を越えて左側壁２３１２まで延在し得る。以下で論じられるように、外側シェル及びクロージャ２３１４は、封止されたコンパートメントをバッグ２３００内に形成するために、防水又は耐水とされ得る。バッグ２３００は、気密に形成されてよく、また、収納された内容物を乾燥した状態又は実質的に乾燥した状態に保ちながら水面下に潜水可能であるように構成され得る。１つの実例では、バッグ２３００は、バッグの内容物を完全に乾燥した状態に維持しながら３０分間まで又は３０分間を超えて潜水可能であるように構成され得る。１つの実例では、バッグ２３００は、水面下に潜水可能であり、且つ、とりわけ、少なくとも１．５２４ｍ（５フィート）、少なくとも３．０４８ｍ（１０フィート）、少なくとも４．５７２ｍ（１５フィート）、少なくとも６．０９６ｍ（２０フィート）、少なくとも１５．２４ｍ（５０フィート）の深さまで、また最長で３０分間又は少なくとも３０分間にわたって、封止されたコンパートメント内の内容物を乾燥した状態に保つように、構成され得る。
【００６２】
例示的なバッグ２３００は、例示的なバッグ２３００を持ち運ぶための、隣接する２つの肩ストラップ２３１６ａ及び２３１６ｂ、上面ハンドル２３１８、並びに側面ハンドル２３２４を含み得る。ストラップ２３１６ａ及び２３１６ｂは、１つの実例では、同じ又は一致する特徴及び構成要素を含む、全く同様に形成されたストラップであり得る。１つの実例では、ストラップ２３１６ａ及び２３１６ｂは、上面側壁２３０６から底面側壁２３０８まで延在する。別の実例では、ストラップ２３１６ａ及び２３１６ｂは、上面側壁２３０６から左側壁２３１２及び右側壁２３１０の下方部分まで延在する。例示的なバッグ２３００はまた、それぞれ肩ストラップ２３１６ａ及び２３１６ｂの外側表面状に配置されてそこから延在する、一連のループ２３２０ａ及び２３２０ｂを含み得る。これらのループ２３２０ａ及び２３２０ｂは、１つ又は複数のファスナ（図示せず）を使用してバッグ２３００に物品を取り付けるために使用され得る。さらに、又はその代わりに、ループ２３２０ａ及び２３２０ｂは、ストラップ２３１６ａ及び２３１６ｂの１種又は複数種の材料が伸びることができる範囲を制限するように構成され得る。したがって、ループ２３２０ａ及び２３２０ｂは、ストラップ２３１６ａ及び２３１６ｂの１つ又は複数の他の部分よりも伸縮性に劣る材料から作製され、且つ、ストラップ２３１６ａ及び２３１６ｂの伸びを制限する前に所定の量の弛みを提供し得る。さらに、バッグ２３００は、ボトル・ストラップ２３２２ａ及び２３２２ｂを含むことができ、これらのボトル・ストラップ２３２２ａ及び２３２２ｂは、再封可能なボトル（図示せず）の形態をした飲料容器などの外部容器をバッグ２３００に固定するように構成され得る。ストラップ２３２２ａ及び２３２２ｂは、バックル、面ファスナ、若しくはストラップの２つの端部を互いに取外し可能に取り付けるための任意の他の機構、又はそれらの組合せを使用して外部容器の周りに留められ得ることが、意図されている。さらに、様々な物品のコンパートメント化された収納のために、１つ又は複数の内部ポケット（図示せず）もまた、バッグ２３００の内側に含まれ得る。また、図示されていないが、バッグは、内容物を受容するための内側コンパートメントをバッグ２３００内に形成する内側ライナも含むことができる。内側ライナ及び外側シェルは、気密且つ防水／耐水の構造を一緒に形成し得る。
【００６３】
１つの実例では、クロージャ２３１４は、実質的に防水であるか、又は、液体コンテンツがバッグ２３００に侵入するか又はバッグ２３００から出て行くのを防ぐための障壁を形成し得る。さらに、クロージャ２３１４は、バッグ２３１４のいかなる配向においてもクロージャ２３１４内への液体の浸透が防がれるか又は実質的に減少されるように、液体に対して不浸透性とされ得る。クロージャ２３１４はまた、気密であるように作製され得る。１つの実例では、クロージャ２３１４は、防水ジッパ組立体であり得、且つ、圧縮空気を用いた試験中に大気圧より最高で４８．２６３２９９ｋＰａ（７ｐｓｉ）又は最高で１０３．４２１３５５ｋＰａ（１５ｐｓｉ）高く水密とされ得る。防水ジッパ組立体２３１４は、スライダ体、及びプル・タブ２３２６を含み得る。１つの具体的な実例では、防水ジッパ組立体は、内側チャンバから内容物を取り出すときの負傷を防ぐために、プラスチック又は他の非金属の歯を有して作製され得る。別の実施態様では、クロージャ２３１４は、コンテナ１００、２００、３００、４００、７００、８００、１４００、１７００に関連して説明された閉鎖機構並びに／又は閉鎖機構１８００及び／若しくは１９００に類似した機構を含み得る。あらゆる非限定的な目的のために参照によりその全体が本明細書に組み込まれている、２０１６年９月９日に出願された米国特許出願第１５／２６１，４０７号では、さらなる適切な例示的な閉鎖機構が開示されている。
【００６４】
幾つかの実例では、前面パネル２３０２、背面パネル２３０４、底面側壁２３０８、左側壁２３１２、右側壁２３１０、及び／又は上面側壁２３０６のうちの１つ又は複数は、それらのセクションにおける追加的な補強を提供してバッグ２３００内に収納された内容物のための支持を提供するために、バッグ２３００の他の部分よりも厚く且つ／又はより硬いファブリックから形成され得る。幾つかの実例では、セクションのそれぞれは、類似の材料で形成され得る。１つの実例では、前面パネル２３０２、背面パネル２３０４、底面側壁２３０８、左側壁２３１２、右側壁２３１０、及び／又は上面側壁２３０６のうちの１つ又は複数は、二重積層ＴＰＵナイロン・ファブリックで形成され得る。１つの実例では、ナイロン・ファブリックが、バッグのこれらの部分のための基礎材料として使用され得、且つ、そのファブリックの各側においてＴＰＵラミネートで被覆され得る。１つの実例では、使用されるＴＰＵナイロン・ファブリックは、０．６ミリメートル厚、又は厚さが０．２から１．５ミリメートルの間の範囲とされ得、且つ、防水とされ得る。さらに、バッグ２３００を作製するために使用されるファブリックは、白カビの生えない環境（ｍｉｌｄｅｗ−ｆｒｅｅ  ｅｎｖｉｒｏｎｍｅｎｔ）を作り出すために抗菌性材料を組み込み得ることが、意図されている。１つの特定の実例では、ナイロンは、ＴＰＵを含む８４０ｄナイロンとされ得る。バッグ２３００の構造体を製造するために使用される代替的な材料には、ＰＶＣ、ＴＰＵ被覆ナイロン、被覆されたファブリック、及び、他の溶接可能且つ防水のファブリックが含まれ得る。
【００６５】
幾つかの実例では、前面パネル２３０２、背面パネル２３０４、底面側壁２３０８、左側壁２３１２、右側壁２３１０、及び／又は上面側壁２３０６を含む、バッグ２３００の外側シェルを形成する材料は、防水又は耐水に形成され得る。また、幾つかの実例では、前面パネル２３０２、背面パネル２３０４、底面側壁２３０８、左側壁２３１２、右側壁２３１０、及び／又は上面側壁２３０６のうちの１つ又は複数には、バッグ２３００のそれらのセクションを支持するための剛体のプレート又はパネルが設けられ得る。例えば、剛体のプレート又はパネルは、ポリエチレンなどの、適切なポリマー又はプラスチックで形成され得る。しかし、可撓性又は実質的に非可撓性であり得る任意の補強材料が使用されてもよい。熱成形されたＰＥ、及び／又はＴＰＵ射出成形された特注の構成要素が、実例に含まれ得る。前面パネル２３０２、背面パネル２３０４、底面側壁２３０８、左側壁２３１２、右側壁２３１０、及び／又は上面側壁２３０６を含むバッグ２３００の構成要素は、縫い付け、接着剤、ポリマー溶接、及び他の適切な付着方法により、互いに固着され得る。
【００６６】
バッグ２３００の底面側壁２３０８は、幾つかの実例では、幾つかの材料の層で形成され得る。例えば、底面側壁２３０８は、ＥＶＡ圧縮成形底面であってもよく、且つ、追加の構造層を含むことができ、この追加の構造層は、ポリエチレン発泡体、ＥＶＡ発泡体、又は他の適切な軟発泡体などの発泡材料と、ＴＰＵ被覆ナイロン又は他の適切なファブリックで形成され得る内側ライナと、ＴＰＵ被覆ナイロン又は他の適切なファブリックで形成され得る外側層とで形成され得る。さらに、やはりポリエチレン発泡体、ＥＶＡ発泡体、又は他の適切な軟発泡体などの発泡材料で形成される追加の層が、底面側壁２３０８のパッディング層と外側層との間に形成され得る。また、幾つかの実例では、底面側壁２３０８に対する類似の層状構造が、前面パネル２３０２、背面パネル２３０４、左側壁２３１２、右側壁２３１０、及び／又は上面側壁２３０６のうちの１つ又は複数において実装され、且つ、バッグ２３００がその使用中にその全体的な形状を維持するように、より堅固な構造を提供し得る。バッグ２３００の１つ又は複数の領域、例えばバッグ２３００の底面及び側面における追加の構造及びパッディングは、バッグの破れ、引裂き、及び擦れを防ぐために、追加の保護及び耐久性をバッグに提供するのに役立ち得る。また、バッグ２３００を持ち運ぶときのユーザに快適さを提供するために、バッグ２３００をバックパックとして持ち運ぶときにユーザの背中及び肩に接触するバッグ２３００の領域（例えば、背面パネル２３０４、並びにストラップ２３１６ａ及び２３１６ｂ）内に発泡体などのパッディング層が設けられ得ることが、意図されている。
【００６７】
幾つかの実例では、ストラップ２３１６ａ及び２３１６ｂは、バッグ２３００から取外し可能とされ得ない。別の実例では、ストラップ２３１６ａ及び２３１６ｂは、１つ又は複数のクリップ、留め具、バックル、若しくは他の取外し可能な取付けデバイスにより、バッグ２３００に取外し可能に取り付けられ得る。ストラップ２３１６ａ及び２３１６ｂは、ストラップ２３１６ａ及び２３１６ｂの長さを調節するように構成され得るストラップ調節具２３２８ａ及び２３２８ｂをそれぞれ含み得る。１つの実施態様では、一連のループ２３２０ａ及び２３２０ｂの一部分は、ストラップ調節具１３１の周りに縫合され得る。さらに、ストラップ２３１６ａ及び２３１６ｂの下方部分２３３０ａ及び２３３０ｂは、ストラップ調節具２３２８ａ及び２３２８ｂの底面セクションを通して輪状にされ得る。
【００６８】
バッグ２３００は、カラビナ、コップ類（ｄｒｉｎｋｗａｒｅ）、より小さなバッグ、等のような物品を受け入れるように構成され得る、２セットの又は一連のループ２３２０ａ及び２３２０ｂを備え得る。ループ２３２０ａ及び２３２０ｂは、取付け点、ラッチ点、持ち運び用ループ、握りハンドル、又はバッグを把持、保持、若しくは吊り下げるためのストラップとして構成され得ることが、意図されている。ループ２３２０ａ及び２３２０ｂは、様々な機能性を提供するために、様々な長さ及びサイズで形成され得る。また、幾つかの代替的な実例では、ループ２３２０ａ及び２３２０ｂは、ＭＯＬＬＥループ又はＰＡＬＳウェビングとして構成され得る。
【００６９】
幾つかの実例では、ストラップ２３１６ａ及び２３１６ｂ、ループ２３２０ａ及び２３２０ｂ、並びにハンドル２３１８及び２３２４は、部分的に又は全体的にナイロン・ウェビングで形成され得る。他の適切な材料には、ポリプロピレン、ネオプレン、ポリエステル、ダイニーマ（Ｄｙｎｅｅｍａ）、ケブラー（Ｋｅｖｌａｒ）、コットン・ファブリック、皮革、プラスチック、ゴム、又はロープが含まれ得る。ストラップ２３１６ａ及び２３１６ｂ、ループ２３２０ａ及び２３２０ｂ、並びにハンドル２３１８及び２３２４は、縫い付け、接着剤、又はポリマー溶接により、バッグ２３００の外側シェルに付着され得る。また、ストラップ２３１６ａ及び２３１６ｂ、ループ２３２０ａ及び２３２０ｂ、並びにハンドル２３１８及び２３２４がバッグ２３００の外側の表面又はシェルに固着される領域において、バッグ２３００のこれらの領域をより頑丈にしてこれらの領域におけるバッグの重量をより良く支持するために、材料の補強パッチが使用され得ることが、意図されている。バッグ２３００のハードウェアは、多くの力に耐えることができるように設計され得る。幾つかの実例では、ハードウェアは、９０．７８１５ｋｇ（２００ポンド）から１３６．０７８ｋｇ（３００ポンド）の力に耐えることができ、また、他の実例では、ハードウェアは、２２６．７９６ｋｇ（５００ポンド）から４５３．５９２ｋｇ（１０００ポンド）の力に耐えるように構成され得る。
【００７０】
前述の持ち運び選択肢に加えて、バッグ２３００は、１つの肩ストラップだけを有するように構成され得る。さらに、バッグ２３００は、場合によりヒップ・ベルト（図示せず）と呼ばれる腰部ストラップ、及び／又は胸骨ストラップ（図示せず）を有して構成される。バッグ２３００並びにストラップ２３１６ａ及び２３１６ｂは、これらの開示の範囲から逸脱することなしに、図２０〜２４に示されたものに対する代替的な幾何形状を有し得ることが、さらに意図されている。
【００７１】
幾つかの実例では、バッグ２３００の容積は、５リットル、７．５リットル、１０リットル、１５リットル、２０リットル、２５リットル、３０リットル、３５リットル、４０リットル、４５リットル、５０リットル、７５リットル、又は１００リットル以上とされ得る。他のバッグ・サイズも意図されている。バッグ長さは、２５ｃｍから１００ｃｍに及んでもよく、バッグ幅は、１０から６０ｃｍに及んでもよく、バッグ奥行きは、４から４０ｃｍに及んでもよい。幾つかの実例では、長さ対幅の比は、１．１から３に及ぶ場合があり、幅対奥行きの比は、１から１０に及ぶ場合がある。
【００７２】
１つの実例では、バッグ２３００は、場合により前面コンテナ２３３２又は前面垂直ポケット２３３２と呼ばれる前面ポケット２３３２をさらに含み得る。図２０に示されるように、１つの実例では、前面パネル２３０２は、前面ポケット２３３２の前面側を形成することができ、また、場合により２次クロージャ又は２次開口部２３３４と呼ばれる再封可能な開口部２３３４が、バッグ２３００の前面周囲の少なくとも一部分の周りに延在し得る。図２２においてバッグ２３００の側面図に概略的に示された破線の囲み２２０２は、前面ポケット２３３２の位置を示す。１つの実例では、前面ポケット２３３２は、防水又は耐水のポケットを含み得る。幾つかの実施態様では、前面ポケット２３３２は、コンテナとして構成され、且つ、これらの開示で既に説明されたようなコンテナ１００、２００、３００、４００、７００、８００、１４００、１７００並びに／又は閉鎖機構１８００及び／若しくは１９００のうちの１つ又は複数を含み得る。したがって、幾つかの実例では、バッグ２３００の前面ポケットは、（例えば、前面ポケット２３３２がコンテナ１００、２００、３００、４００、７００、８００、１４００、及び／又は１７００の要素を含む場合に）実質的に剛体又は半剛体であり得、一方で、バッグ２３００の別の部分は、実質的に非剛体且つ変型可能であり得る。或いは、前面ポケット２３３２及びバッグ２３００のさらなる部分の両方が、剛体の若しくは部分的に剛体の構造として又は非剛体の変形可能な構造として、作製され得る。前面ポケット２３３２の開口部２３３４は、とりわけコンテナ１００、２００、３００、４００、７００、８００、１４００、１７００並びに／又は閉鎖機構１８００及び／若しくは１９００に関連して説明された開口機構のうちのいずれかを含み得ることが、さらに意図されている。さらに、又はその代わりに、クロージャ２３３４は、クロージャ２３１４に関連して説明されたものと同じ又は類似の要素を含み得る。
【００７３】
図２５Ａ及び２５Ｂは、本明細書において説明される１つ又は複数の態様によるバッグ２５００の別の実施態様を示す。具体的には、図２５Ａは、バッグ２５００の右側面の等角図を示し、図２５Ｂは、バッグ２５００の左側面の等角図を示す。１つの実施態様では、バッグ２５００は、肩ストラップ２５０１及び２５０３を有するバックパックとして構成され、且つ、コンパートメント２５０２内に様々な内容物を収納するために使用され得る。肩ストラップ２５０１及び２５０３は、パッド入り上方ストラップ部分２５２２及び２５２４を含むことができ、このパッド入り上方ストラップ２５２２及び２５２４は、１つの実例では、耐摩耗性外側ポリマー・シェルによって取り囲まれた発泡体コアを含む、材料の複数の層を使用して作製され得る。したがって、発泡体コアは、エチレン酢酸ビニル、低密度ポリエチレン、ニトリル・ゴム、ポリクロロプレン発泡体、ポリイミド発泡体、ポリプロピレン発泡体、ポリウレタン発泡体、ポリ塩化ビニル発泡体、シリコーン発泡体、及びマイクロセルラー発泡体のうちの１つ若しくは複数、又はそれらの組合せを含み得る。さらに、パッド入り上方ストラップ部分２５２２及び２５２４は、補強要素及び／又は複数のループ２５２６を形成するためにパッド入り上方ストラップ部分２５２２及び２５２４上に縫合される、外側ウェビングを含み得る。
【００７４】
パッド入り上方ストラップ部分２５２２及び２５２４は、任意の物理的寸法を有することができる任意の数のループ２５２６を含み得ることが、意図されている。これらのループは、ナイロン・ウェビングで作製され得る。さらに、又はその代わりに、ループ２５２６は、ポリプロピレン、ネオプレン、ポリエステル、ダイニーマ、ケブラー、コットン・ファブリック、皮革、プラスチック、ゴム、又はロープなどの他の材料から作製され得る。１つの実施態様では、ループは、物品（例えば、とりわけカラビナ、ドライ・バッグ）をバッグ２５００に取り付けるために使用されるように構成される。さらに、又はその代わりに、ループ２５２６は、パッド入り上方ストラップ部分２５２２及び２５２４が拡大され得る範囲を制限するように構成される。したがって、パッド入り上方ストラップ部分２５２２及び２５２４は、バッグ２５００がユーザの背中に装着されたときに衝撃吸収を提供するために、変形し且つ拡大するように構成された材料から作製され得る。バッグ２５００がユーザによって担がれていない又は装着されていないときに、パッド入り上方ストラップ部分２５２２及び２５２４は、縮められた位置にあってよく、また、ウェビング／ループ２５２６は、パッド入り上方ストラップ部分２５２２及び２５２４から外方に輪を描く若干の弛みを有してよい。ユーザによって装着されると、バッグ２５００の重量は、パッド入り上方ストラップ部分２５２２及び２５２４を断続的に又は連続的に拡大させることができ、ループ２５２６は、ピンと張られてパッド入り上方ストラップ部分２５２２及び２５２４の外側表面に近接して再位置決めされ得る。したがって、ループ２５２６は、パッド入り上方ストラップ部分２５２２及び２５２４が拡大し得る範囲を制限するように構成され、それにより、過度の拡大並びにパッド入り上方ストラップ部分２５２２及び２５２４への損傷を防ぐと同時に、衝撃吸収機能性を提供することもできる。
【００７５】
１つの実例では、パッド入り上方ストラップ部分２５２２及び２５２４は、近位端部２５２８及び２５３０においてバッグ２５００の背面パネルの上面部分に結合され得る。パッド入り上方ストラップ部分２５２２及び２５２４は、とりわけ、縫合、接着、又は１つ若しくは複数のファスナ要素により近位端部２５２８及び２５３０においてバッグ２５００の背面パネルに結合され得ることが、意図されている。肩ストラップ２５０１及び２５０３は、下方調節ストラップ２５３０及び２５３２をさらに含み得る。下方調節ストラップ２５３０及び２５３２は、近位端部２５３４及び２５３６においてバッグ２５００の背面パネルの底面部分に結合され得る。１つの実例では、下方調節ストラップ２５３０及び２５３２は、ナイロン・ウェビングから作製され得る。しかし、下方調節ストラップ２５３０及び２５３２は、とりわけ、追加の又は代替的なポリマー、金属、合金、セラミック、若しくは繊維強化材料から作製され得ることが、意図されている。
【００７６】
パッド入り上方ストラップ部分２５２２及び２５２４の遠位端部２５４０及び２５４２は、調節バックル２５４８及び２５５０により、下方調節ストラップ２５３０及び２５３２の遠位端部２５４４及び２５４６に調節可能に結合され得る。１つの実例では、調節バックル２５４８及び２５５０は、とりわけ、ポリマー、金属、合金、セラミック、又は繊維強化材料のうちの１つ又は複数から作製され得る。
【００７７】
バッグ２５００は、下方調節ストラップ２５３０及び２５３２の近位端部２５３４及び２５３６に近接した下方取付けループをさらに含み得る。下方取付けループは、バッグ２５００の背面パネルの側部に縫い込まれてもよく、また、下方調節ストラップ２５３０及び２５３２に類似した材料から作製され得る。下方取付けループは、ナイロン・ウェビング材料から作製され得ることが、意図されている。しかし、これらの開示の範囲から逸脱することなしに、追加の又は代替的な材料が使用され得る。１つの実例では、下方取付けループは、図２５Ｃに関連して記述されるように、腰部ストラップの取付けのための係止点として使用され得る。
【００７８】
図２５Ｃは、バッグの背面部分２５５０の１つの実施態様を概略的に示す。１つの実例では、背面部分２５５０は、バッグ２５００で使用され得る。しかし、類似の要素が、バッグ２３００及び２６００で使用され得る。示されるように、腰部ストラップ２５５２が、下方取付けループ２５５４Ａ及び２５５４Ｂに取外し可能に取り付けられる。１つの実例では、腰部ストラップ２５５２は、バックル２５６０により第２のストラップ部分２５５８に取外し可能に結合される、第１のストラップ部分２５５６を含む。第１のストラップ部分２５５６及び第２のストラップ部分２５５８は、下方調節ストラップ２５３０及び２５３２と同様にナイロン・ウェビングから作製され得ることが、意図されている。しかし、これらの開示の範囲から逸脱することなしに、追加の又は代替的なポリマー材料、金属材料、合金材料、若しくはセラミック材料、又はそれらの組合せが、第１のストラップ部分２５５６及び第２のストラップ部分２５５８に使用され得る。バックル２５６０は、これらの開示の範囲から逸脱することなしに、任意の取外し可能な結合の実施態様を含み得ることが、さらに意図されている。
【００７９】
腰部ストラップ２５５２は、２つの割りリング・ファスナ２５６２Ａ及び２５６２Ｂにより、下方取付けループ２５５４Ａ及び２５５４Ｂに取外し可能に取り付けられ得る。１つの実例では、割りリング・ファスナ２５６２Ａ及び２５６２Ｂは、アルミニウムから作製され得、且つ、間隙を有する細長いループ要素を含むことができ、下方取付けループ２５６２Ａ及び２５６２Ｂは、その間隙を通して挿入されるように構成される。他の実施態様では、割りリング・ファスナ２５６２Ａ及び２５６２Ｂは、別の金属、合金、ポリマー、繊維強化材料、若しくはセラミック、又はそれらの組合せから作製され得る。１つの実施態様では、ファスナ２５６２Ａ及び２５６２Ｂは、さらに、又はその代わりに、バックル、留め具、クリップ、面ファスナ、又はひもを含み得る。別の実施態様では、腰部ストラップ２５５２は、取外し可能ではないように、バッグ２５００上に縫合され得る。
【００８０】
図２５Ｃは、肩ストラップ２５５１及び２５５３の代替的な実施態様をさらに示す。肩ストラップ２５５１及び２５５３は、肩ストラップ２５０１及び２５０３に類似し、且つ、構造上の耐荷重特性及び耐摩耗性のために設けられたパッディング材料及び／又は外側ウェビング材料の１つ又は複数の層を含み得る。さらに、肩ストラップ２５５１及び２５５３は、一連の多重ループを含み得る（図２５Ｃでは、ループの一部分がループ２５５５として標識されている）。肩ストラップ２５５１及び２５５３は、これらの開示の範囲から逸脱することなしに、任意の数のループ２５５５を含み得ることが、意図されている。１つの実例では、一連のループ２５５５は、調節バックル２５５７及び２５５９から補強パッチ２５６１及び２５６３まで延在し、補強パッチ２５６１及び２５６３は、肩ストラップ２５５１及び２５５３の幅にわたって延在する。
【００８１】
バッグ２３００、２５００、及び２６００の肩ストラップ（例えば、肩ストラップ２５０１、２５０３、２５５１、２５５３、２６０１、及び２６０３）は、胸骨ストラップ（図示せず）に取外し可能に結合され得る。この胸骨ストラップは、ループ２５２６及び／又は２５５５などの肩ストラップのループのうちの１つ又は複数に取外し可能に結合されるように構成され得る。１つの実例では、取外し可能な結合は、図２８Ａ及び２８Ｂに示されるように、胸骨ストラップ・バックル２８００を使用し得る。胸骨ストラップ・バックル２８００は、胸骨ストラップの一部分を受け入れるためのスロット２８０２と、２５２６及び／又は２５５５などのウェビング・ループに取外し可能に結合されるように構成されたフック２８０４とを含み得る。さらに、胸骨ストラップ・バックル２８００は、ループ２５２６及び／又は２５５５などの肩ストラップ・ループがフック２８０４から不用意に分離されるのを防ぐように構成された歯２８０６を含む。１つの実例では、歯２８０６は、フック２８０４が圧迫されたときにスロット２８０２内へ下がるように構成される。バックル２８００は、ポリオキシメチレン／アセタールなどの熱可塑性プラスチックから作製され得ることが、意図されている。他の実施態様では、バックル２８００は、とりわけ、１種又は複数種の追加の又は代替的なポリマー、金属、合金、セラミック、若しくは繊維強化材料から作製され得る。
【００８２】
１つの実例では、バッグ２５００のジッパ付きコンパートメント２５０２は、１つ又は複数の物品整理構造を含み得る。１つの実例では、物品整理構造は、ジッパ付きコンパートメント２５０２の１つ又は複数の内部側壁に結合されるパッチを含み得る。パッチは、縫合、接着、又は溶接のうちの１つ又は複数により、ジッパ付きコンパートメント２５０２の１つ又は複数の内部側壁に結合され得る。パッチは、ジッパ付きコンパートメント２５０２内に繋ぎ止められる物品の対応する１つ又は複数の面ファスナに取外し可能に結合されるように構成された面ファスナのうちの１つ又は複数を含み得る。面ファスナが説明されている場合、面ファスナは、これらの開示の範囲から逸脱することなしに、あらゆるフック・ファスナ要素、あらゆるループ・ファスナ要素、又はその両方の組合せを有する領域若しくは要素を含み得ることが、意図されている。例えば、フック及びループ・タブを有するキー・リングが、内部パッチのフック要素及びループ要素に取外し可能に結合され得る。これらの物品整理構造は、さらに又はその代わりに、とりわけ、１つ又は複数の内部ポケット、ポーチ・スリーブ、ストラップ、ひも、弾性ストラップ、ネット、又は可撓性の、部分的に剛体の、若しくは完全に剛体の仕切り要素を含み得る。物品整理構造は、とりわけ１つ又は複数のジッパ、磁石、プル・タイ、若しくは面ファスナ、又はそれらの組合せを含む任意の閉鎖機構を使用して閉鎖可能とされ得る開口部を有し得る。物品整理構造は、様々なサイズの物品を収納するように構成され得るように、任意の寸法を有し得る。さらに、物品整理構造は、その中に収納された内容物に対する保護を提供するために、パッド入りの側壁及び／又は縁部を含み得る。１つの実例では、バッグ２５００のジッパ付きコンパートメント２５０２は、とりわけラップトップ・デバイス、タブレット・デバイス、又は電話デバイスを収納するように構成されたパッド入りスリーブを含み得る。さらに、又はその代わりに、バッグ２５００のジッパ付きコンパートメント２５０２は、飲料容器を保持するように構成されたポーチを含み得る。物品整理構造は、その中に保持された物品の熱伝導率を低下させるように構成された断熱要素をさらに含み得ることが、意図されている。例えば、飲料容器を保持するように構成されたポーチは、１つ又は複数の断熱要素を含み得る。
【００８３】
しかし、バッグ２５００は、これらの開示の範囲から逸脱することなしに、メッセンジャー・バッグ又は他のキャリー・バッグ・タイプとして構成され得ることが、意図されている。１つの実施態様では、バッグ２５００は、バッグ２３００に関連して説明されたものに類似した材料及び手法を使用するものであり得る。したがって、ジッパ付きコンパートメント２５０２は、とりわけコンテナ１００、２００、３００、４００、７００、８００、１４００、１７００並びに／又は閉鎖機構１８００及び／若しくは１９００に関連して説明された開口機構のうちのいずれかを含み得る。
【００８４】
１つの実例では、バッグ２５００は、柔軟側面の、半剛体の、若しくは剛体の側壁（例えば、側壁２５０４及び２５０６）、又はそれらの組合せを含み得る。さらに、又はその代わりに、バッグ２５００は、領域２５０８などの、補強材料及び／又はより高い耐水性若しくは耐久性のある材料を含む１つ又は複数の領域を含み得る。さらに、バッグ２５００は、これらの開示の範囲から逸脱することなしに、任意の材料から作製され得る。バッグ２５００、及びコンパートメント２５０２の閉鎖機構は、高度に耐水且つ／又は防水であり得ることが、意図されている。１つの実例では、コンパートメント２５０２は、プル・タブ２５１０を有するジッパ付きクロージャと、２つのジッパ・オポーザ（ｚｉｐｐｅｒ  ｏｐｐｏｓｅｒ）２５１２及び２５１４とを有し得ることが、意図されている。１つの実例では、バッグ２５００は、３つ以上の持ち運びハンドル２５１６、２５１８、及び２５２０をさらに含み得る。
【００８５】
図２６Ａ及び２６Ｂは、本明細書において説明される１つ又は複数の態様によるバッグ２６００の別の実施態様を示す。具体的には、図２６Ａは、バッグ２６００の右側面の等角図を示し、図２６Ｂは、バッグ２６００の左側面の等角図を示す。１つの実施態様では、バッグ２６００は、バックパックとして構成され、且つ、肩ストラップ２６０１及び２６０３を含み、且つ、コンパートメント２６０２内に様々な内容物を収納するために使用され得る。したがって、図２６Ａ及び２６Ｂは、閉じた構成におけるコンパートメント２６０２を示す。他の実例では、バッグ２６００は、メッセンジャー・バッグ、又は任意の他のタイプのキャリー・バッグとして構成され得る。１つの特定の実施態様では、バッグ２６００のコンパートメント２６０２は、磁気ファスナ要素及び／又は面ファスナ要素と一緒に折り畳み閉鎖機構を含む、コンテナ８００及び１４００に関連して説明された機構のうちの１つ又は複数を使用し得る。
【００８６】
バッグ２５００と同様に、バッグ２６００は、柔軟側面の、半剛体の、若しくは剛体の側壁（例えば、側壁２６０４及び２６０６）、又はそれらの組合せを含み得る。さらに、又はその代わりに、バッグ２６００は、領域２６０８などの、補強材料及び／又はより高い耐水性若しくは耐久性のある材料を含む、１つ又は複数の領域を含み得る。さらに、バッグ２６００は、これらの開示の範囲から逸脱することなしに、任意の材料から作製され得る。バッグ２６００、及びコンパートメント２６０２の閉鎖機構は、高度に耐水且つ／又は防水であり得ることが、意図されている。１つの実施態様では、バッグ２６００は、３つ以上の持ち運びハンドル２６１０、２６１２、及び／又は２６１４を含み得る。しかし、これらの開示の範囲から逸脱することなしに、３つよりも少ない又は３つよりも多い持ち運びハンドルが、使用され得る。
【００８７】
図２７Ａ及び２７Ｂは、図１３Ａに関連して説明されたものに類似した部分的に開いた構成における、コンパートメント２６０２を含むバッグ２６００の等角図を示す。１つの実例では、バッグ２６００は、第２のファスナ要素２６５２に取外し可能に結合されるように構成された第１のファスナ要素２６５０を含む。１つの実例では、第１のファスナ要素２６５０及び第２のファスナ要素２６５２は、面ファスナ、及び又は１つ若しくは複数の磁気ファスナ要素を含み得る。
【００８８】
図２９は、ハンドル構造２９００の組立分解等角図を概略的に示す。このハンドル構造２９００は、とりわけハンドル２３１８、２５１６、２５１８、２５２０、２６１２、及び／又は２６１４のうちの１つ又は複数に使用され得る。１つの実施態様では、ハンドル構造２９００は、とりわけバッグ２３００、２５００、及び／又は２６００の構造に追加の剛性を提供する。ハンドル構造２９００は、折り畳まれたウェビング又はグリップ構造体２９０２を含み得る。１つの実例では、折り畳まれたウェビング２９０２は、発泡体の層を封入し得る。１つの実施態様では、折り畳まれたウェビング２９０２は、ナイロン・ウェビングなどの可撓性ポリマーから作製され得る。しかし、これらの開示の範囲から逸脱することなしに、追加の又は代替的な材料が使用され得る。折り畳まれたウェビング構造体２９０２は、ウェビング層２９０４に結合され得る。１つの実例では、ウェビング層２９０４は、折り畳まれたウェビング２９０２と同じ材料から作製され得る。しかし、追加の又は代替的な材料が使用され得る。ウェビング層２９０４は、ファブリック層２９０６に結合され得る。１つの実例では、ファブリック層２９０６は、ナイロン又はポリエステルなどの、二重被覆された１６０８デニール・ファブリックから作製され得る。これらの開示の範囲から逸脱することなしに、様々な材料及び／又は様々なライナ密度が使用され得ることが、意図されている。ファブリック層２９０６は、剛体の又は部分的に剛体のポリマー板２９０８に結合され得る。１つの特定の実例では、ポリマー板２９０８は、ポリエチレン材料から作製され得、且つ、おおよそ３ｍｍの厚さを有し得る。しかし、これらの開示の範囲から逸脱することなしに、追加の又は代替的なポリマー板２９０８の材料及び／若しくは厚さが使用され得る。要素２９１０は、要素２９０２〜２９０８を結合するために使用され得る縫い付け経路を概略的に示す。しかし、縫い付けに加えて又は縫い付けの代わりとして、要素２９０２〜２９０８は、とりわけ１つ又は複数のステープル、鋲、ねじ、接着剤、若しくはレーザ溶接部により互いに結合され得る。
【００８９】
別の実例では、ハンドル構造２９００並びに／又はハンドル２３１８、２５１６、２５１８、２５２０、２６１２及び／若しくは２６１４は、その全内容が参照により本明細書に組み込まれている、２０１６年９月９日に出願された米国特許出願第１５／２６１，４０７号で説明されているハンドル（例えば、ハンドル２１０、２１２、３２１０、４２１０、５２１６）の要素を含み得る。
【００９０】
図３０は、本明細書において説明される１つ又は複数の態様によるバッグ３０００の別の実施態様の等角図を示す。バッグ３０００は、前面パネル３００６、背面パネル３０１０、上面側壁３０１２、左側壁３０１４、右側壁３０１６、及び底面側壁３０１８を有する、外側シェルを含み得る。１つの実例では、バッグ３０００は、バッグ２５００に類似し、且つ、バッグ３０００の前面パネル３００６上に第１の一連のファブリック・ループ３００２及び第２の一連のファブリック・ループ３００４をさらに含み得る。バッグ３０００は、内部収納コンパートメントにアクセスするために使用されるクロージャ３００８を含むことができ、それらは、クロージャ２３１４及び／又は収納コンパートメント２５０２に類似し得る。これらの開示の範囲から逸脱することなしに、バッグ２５００に関連して説明された材料及び構造のいずれもがバッグ３０００に対して使用され得ることが、意図されている。一連のファブリック・ループ３００２及び３００４は、場合によりウェビング・ループと呼ばれることもあり、且つ、前面パネル３００６上に縫合される１つ又は複数のウェビング材料で形成され得る。ファブリック・ループ３００２及び３００４を作製するために、任意のウェビング材料又は代替的な材料が使用され得ることが、意図されている。１つの実例では、一連のファブリック・ループ３００２及び３００４は、バッグ３０００に物品を取り付けるために使用され得る。
【００９１】
図３１は、本明細書において説明される１つ又は複数の態様による、開いた収納コンパートメント３１０２を含むバッグ３１００の図を示す。バッグ３１００は、１種又は複数種のポリマー材料から作製され得ることが、意図されている。１つの実施態様では、バッグ３１００は、これらの開示で既に説明された任意の１種又は複数種の材料から作製され得る。収納コンパートメント３１０２は、収納コンパートメント２５０２に類似し、且つ、収納コンパートメント３１０２の部分的な又は完全な再封可能な封止を提供するように構成されたクロージャ３１０４を含み得る。１つの実例では、クロージャ３１０４は、ジッパ・クロージャを含み得る。これらの開示の範囲から逸脱することなしに、任意の寸法を有する任意のジッパ・タイプが使用され得ることが、意図されている。バッグ３１００は、バッグ２５００及び３０００に類似し、且つ、既に説明された構造材料及び特徴のいずれかを含み得る。
【００９２】
１つの実例では、バッグ３１００の収納コンパートメント３１０２は、ジッパ付きコンパートメント３１０２の背面内部側壁３１０８に結合されるパッチ３１０６を含み得る。パッチ３１０６は、とりわけ縫合、接着、又は溶接のうちの１つ又は複数により、背面内部側壁３１０８に結合され得る。パッチ３１０６は、ジッパ付きコンパートメント３１０２内に繋ぎ止められる物品の対応する１つ又は複数の面ファスナに取外し可能に結合されるように構成された面ファスナのうちの１つ又は複数を含み得る。面ファスナが説明されている場合、これらの開示の範囲から逸脱することなしに、面ファスナは、あらゆるフック・ファスナ要素、あらゆるループ・ファスナ要素、又はその両方の組合せを有する領域若しくは要素を含み得ることが、意図されている。
【００９３】
バッグ３１００の収納コンパートメント３１０２は、背面内部側壁３１０８に取り付けられるスリップ・ポケット又はスリーブ３１１０をさらに含み得る。スリップ・ポケット３１１０は、背面内部側壁３１０８と同じ材料で形成されてもよく、且つ、背面内部側壁３１０８に、とりわけ縫合、接着、及び／又は溶接され得る。１つの実例では、収納コンパートメント３１０２の前面内部側壁３１１２は、ジッパ付きメッシュ・ポケット３１１４を含むことができ、このメッシュ・ポケット３１１４は、メッシュ・ポケット３１１４の上部に沿って延在するジッパ３１１６によって閉鎖可能な収納コンパートメントを提供する。
【００９４】
例示的なバッグが、前面パネル、背面パネル、上面側壁、底面側壁、左側壁、右側壁を有する、耐水材料から作られた外側シェルを含み得る。バッグはまた、外側シェルに取り付けられる１対の調節可能ストラップと、左側壁、上面側壁、及び右側壁の一部分の周りに延在するファーストとを含み得る。第１のクロージャは、バッグの第１の内部ポケットを再封可能に封止するために、開位置から閉位置へ移動することができる。第２のクロージャが、前面パネルの一部分の周りに延在し、且つ、前面コンテナを再封可能に封止するために開位置から閉位置へ移動する。前面コンテナは、収納コンパートメントに及ぶ、コンテナの上面に位置する開口部と、閉鎖機構とを含み得る。閉鎖機構は、開口部の前面縁部において第１の内部表面に結合される、第１の磁気ストリップを含み得る。さらに、閉鎖機構は、開口部の背面縁部において第２の内部表面に結合される、第２の磁気ストリップを含み得る。第１の磁気ストリップは、開口部を再封可能に封止するために、第２の磁気ストリップに磁気的に引き付けられ得る。
【００９５】
１つの実例では、第２の磁気ストリップ上の第１の磁気ストリップは、開口部のそれぞれの前面縁部及び背面縁部にヒンジ式に結合され得る。
【００９６】
別の実例では、第１の磁気ストリップ及び第２の磁気ストリップのうちの少なくとも一方は、開口部のそれぞれの前面縁部及び背面縁部においてヒンジ式に結合され得る。
【００９７】
さらに別の実例では、第１のファスナ要素は、面ファスナにより、第２のファスナ要素に取外し可能に結合され得る。
【００９８】
第１のファスナ要素及び第２のファスナ要素は、磁石を含み得る。
【００９９】
別の例示的なバッグが、前面パネル、背面パネル、上面側壁、底面側壁、左側壁、右側壁を有する、耐水材料から作られた外側シェルを含み得る。バッグはまた、外側シェルに取り付けられる１対の調節可能ストラップと、左側壁、上面側壁、及び右側壁の一部分の周りに延在するファーストとを含み得る。第１のクロージャは、バッグの第１の内部ポケットを再封可能に封止するために、開位置から閉位置へ移動することができる。第２のクロージャが、前面パネルの一部分の周りに延在し、且つ、前面コンテナを再封可能に封止するために開位置から閉位置へ移動する。前面コンテナは、前面シェル、前面シェルの内部周囲の周りに延在する前面フレーム、背面シェル、背面シェルの内部周囲の周りに延在し且つ底部表面において前面フレームにヒンジ式に結合された背面フレームを含み得る。コンテナはまた、背面シェルを前面シェルに対して再封可能に封止するように構成された閉鎖機構を含み得る。閉鎖機構は、少なくとも前面フレームの第１の部分の周りに延在する前面磁気ストリップ、及び、少なくとも背面フレームの第１の部分の周りに延在する背面磁気ストリップをさらに含み得る。さらに、閉鎖機構は、少なくとも前面フレームの第２の部分及び背面フレームの第２の部分の周りに延在するジッパを含み得る。
【０１００】
１つの実例では、前面フレーム及び背面フレームは、１種又は複数種のエラストマから作製され得る。
【０１０１】
別の実例では、前面及び背面の磁気ストリップは、それぞれの前面フレーム及び背面フレーム内のチャネル内に封入され得る。
【０１０２】
さらに別の実例では、閉鎖機構はまた、前面磁気ストリップが背面磁気ストリップに磁気的に結合されたときに形成されるジッパ・トラフを含み得る。
【０１０３】
ジッパはまた、少なくとも前面フレームの第２の部分及び背面フレームの第２の部分に結合された、伸縮自在のジッパ・テープを含み得る。
【０１０４】
さらに、ジッパが閉じられているときに、少なくとも前面フレームの第２の部分及び背面フレームの第２の部分へのジッパ・テープの伸縮自在な結合は、前面磁気ストリップ及び背面磁気ストリップを互いの方向に付勢する圧縮力を働かせることができる。
【０１０５】
さらに、背面磁気ストリップ内の前面磁気ストリップは、それぞれ複数の磁気要素を有することができる。
【０１０６】
１つの態様では、バッグが、耐水材料から形成された外側シェルを含み得る。外側シェルは、前面パネル、背面パネル、上面側壁、底面側壁、左側壁、及び右側壁を含み得る。バッグは、外側シェルに取り付けられた１対の調節可能ストラップをさらに含み得る。クロージャが、バッグ内の内部ポケットを再封可能に封止するように、左側壁、上面側壁、及び右側壁の一部分の周りに延在し得る。バッグは、クロージャの下方で左側壁に取り付けられた第１のオポーザ要素と、クロージャの下方で右側壁に取り付けられた第２のオポーザとをさらに含み得る。バッグは、前面パネルに結合された一連のループをさらに含み得る。
【０１０７】
１つの実例では、バッグは、バックパックである。
【０１０８】
別の実例では、クロージャが、ジッパ・クロージャを含み得る。
【０１０９】
別の実例では、バッグは、上面側壁上の第１の持ち運びハンドル、左側壁上の第２の持ち運びハンドル、及び右側壁上の第３の持ち運びハンドルを含み得る。
【０１１０】
本開示は、上記で、また、様々な実例に関連する添付の図面において、開示された。しかし、本開示によって果たされる目的は、本開示に関連する様々な特徴及び概念の実例を提供することであり、本開示の範囲を限定することではない。当業者は、本開示の範囲から逸脱することなしに上記で説明された実例に対して多数の変形及び変更がなされ得ることを認識するであろう。
【図１】
2021509616.tif 000003
【図２】
2021509616.tif 000004
【図３Ａ】
2021509616.tif 000005
【図３Ｂ】
2021509616.tif 000006
【図４】
2021509616.tif 000007
【図５】
2021509616.tif 000008
【図６】
2021509616.tif 000009
【図７】
2021509616.tif 000010
【図８Ａ】
2021509616.tif 000011
【図８Ｂ】
2021509616.tif 000012
【図９Ａ】
2021509616.tif 000013
【図９Ｂ】
2021509616.tif 000014
【図９Ｃ】
2021509616.tif 000015
【図１０】
2021509616.tif 000016
【図１１】
2021509616.tif 000017
【図１２】
2021509616.tif 000018
【図１３Ａ−１３Ｂ】
2021509616.tif 000019
【図１３Ｃ】
2021509616.tif 000020
【図１３Ｄ】
2021509616.tif 000021
【図１４】
2021509616.tif 000022
【図１５】
2021509616.tif 000023
【図１６】
2021509616.tif 000024
【図１７Ａ】
2021509616.tif 000025
【図１７Ｂ】
2021509616.tif 000026
【図１８Ａ】
2021509616.tif 000027
【図１８Ｂ】
2021509616.tif 000028
【図１９】
2021509616.tif 000029
【図２０】
2021509616.tif 000030
【図２１】
2021509616.tif 000031
【図２２】
2021509616.tif 000032
【図２３】
2021509616.tif 000033
【図２４】
2021509616.tif 000034
【図２５Ａ】
2021509616.tif 000035
【図２５Ｂ】
2021509616.tif 000036
【図２５Ｃ】
2021509616.tif 000037
【図２６Ａ】
2021509616.tif 000038
【図２６Ｂ】
2021509616.tif 000039
【図２７Ａ】
2021509616.tif 000040
【図２７Ｂ】
2021509616.tif 000041
【図２８Ａ】
2021509616.tif 000042
【図２８Ｂ】
2021509616.tif 000043
【図２９】
2021509616.tif 000044
【図３０】
2021509616.tif 000045
【図３１】
2021509616.tif 000046
【国際調査報告】
2021509616.tif 000047
2021509616.tif 000048
2021509616.tif 000049
2021509616.tif 000050